(57)【要約】  再生中のコンテンツに関連したコンテンツであってユーザが要望するコンテンツを、従来よりも見つけやすい再生装置および再生方法等を提供する。  映像または音楽の一単位を再生しているとき（Ｓ１０）に一覧表示指示があった場合（Ｓ１１）、その一単位に対応する複数個のキーワードを特定し（Ｓ１３）、一定時間または異なる時間間隔でキーワードを切り替え（Ｓ１４）、それぞれの前記キーワードに関連するそれぞれの映像または音楽のコンテンツのシンボルを切り替えながら一覧表示する（Ｓ１６）。
2011048720.tif 000002
【特許請求の範囲】
【請求項１】
映像または音を再生する再生部と、
再生中の前記映像または音の一単位に関連する映像または音のコンテンツのシンボルの一覧表示指示をする一覧表示指示部と、
前記コンテンツのシンボルとそのコンテンツに付されたキーワードとで構成されたコンテンツ関係情報が格納されたコンテンツ関係情報格納部と、
前記再生中の一単位に対応する複数個のキーワードを特定するキーワード特定部と、
前記キーワード特定部で特定された複数のキーワードを一定時間または異なる時間間隔で切り替えて一つのキーワードを選ぶキーワード切替部と、
前記キーワード切替部によって選ばれたキーワードで、前記コンテンツ関係情報格納部の前記コンテンツ関係情報の前記キーワードを検索して関連するコンテンツを検出し、その関連するコンテンツのシンボルを特定し、前記キーワード切替部によってキーワードが切り替えられる毎に、前記特定したシンボルを入れ替えていくシンボル入替部と、
前記シンボル入替部によって特定されたシンボルを、前記再生部によって切り替えながら画面に一覧表示させる一覧表示制御部とを備え、
前記一覧表示制御部は、少なくとも前記一覧表示指示があった後に動作する、再生装置。
【請求項２】
前記キーワード特定部は、前記一覧表示指示があった後に動作する、請求項１に記載の再生装置。
【請求項３】
前記再生中の一単位は、前記一覧表示の際には、前記シンボルと並んで表示される、請求項１または２に記載の再生装置。
【請求項４】
前記一単位は、前記映像または音の、一番組または一曲である、請求項１〜３のいずれかに記載の再生装置。
【請求項５】
前記一番組または一曲に予めキーワードが用意されており、
前記キーワード特定部は、前記予め用意されているキーワードを利用して前記複数個のキーワードを特定する、請求項４に記載の再生装置。
【請求項６】
前記映像または音の一番組または一曲が複数の時間帯に区切られており、前記一単位は、前記複数の時間帯のうちの所定の一時間帯である、請求項１〜３のいずれかに記載の再生装置。
【請求項７】
前記映像に対応する字幕データを格納する番組付属情報格納部を備え、
前記キーワード特定部は、前記一覧表示指示があったときに、そのタイミングに対応する前記所定の一時間帯に対応する前記字幕データから前記複数個のキーワードを抽出することにより、前記複数個のキーワードを特定する、請求項６に記載の再生装置。
【請求項８】
前記各時間帯に予め割り当てられている一または複数のキーワードを格納している割当キーワード格納部を備え、
前記キーワード特定部は、前記一覧表示指示があったときに、そのタイミングに対応する前記所定の一時間帯に予め割り当てられている前記複数個のキーワードを前記割当キーワード格納部から取り出すことにより、前記複数個のキーワードを特定する、請求項６に記載の再生装置。
【請求項９】
前記一覧表示しているときに前記所定の一時間帯が終了した場合、
前記キーワード特定部は、次の一時間帯に対応する複数個のキーワードを新たに特定し、
前記キーワード切替部は、前記キーワード特定部で新たに特定された複数のキーワードを一定時間または異なる時間間隔で切り替えて一つのキーワードを選び、
前記シンボル入替部は、前記新たに特定された複数のキーワードの中から前記キーワード切替部によって選ばれたキーワードで、関連するコンテンツを検出し、その関連するコンテンツのシンボルを特定し、前記キーワード切替部によってキーワードが切り替えられる毎に、その特定したシンボルを入れ替えていき、
前記一覧表示制御部は、前記シンボル入替部によって特定されたシンボルを、前記再生部によって前記画面に切り替えながら一覧表示させる、請求項６に記載の再生装置。
【請求項１０】
前記一覧表示されているシンボルの中から、いずれかのシンボルを選択して指示するシンボル選択指示部と、
前記シンボル選択指示部によって選択指示された動作を取り消す選択取り消し指示を出す選択取り消し指示部とを備え、
前記再生部は、前記シンボル選択指示部によってシンボルが選択されたときには、その選択されたシンボルに対応するコンテンツの表示サイズを拡張して前記画面に再生表示させ、前記選択されたシンボルに対応するコンテンツを再生表示させているときに前記選択取り消し指示部によって前記選択取り消し指示がされた場合には、前記画面に前記シンボルが選択されたときの一覧表示に戻し表示させる、請求項６に記載の再生装置。
【請求項１１】
前記表示制御部は、前記キーワードに関連しないコンテンツであり、かつ、前記キーワードに関連して対応する前記シンボルが表示されているコンテンツを有するメディア以外の他のメディアが有するコンテンツに対応するシンボルも、前記一覧表示に表示させ、前記他のメディアが有するコンテンツに対応するシンボルを、前記キーワードに関連するコンテンツのシンボルよりも小さいサイズで表示させる、請求項１〜３のいずれかに記載の再生装置。
【請求項１２】
映像または音の一単位を再生する再生ステップと、
再生中の前記一単位に関連する映像または音のコンテンツのシンボルの一覧表示指示をする一覧表示指示ステップと、
キーワード特定部によって、前記再生中の一単位に対応する複数個のキーワードを特定するキーワード特定ステップと、
前記特定された複数個のキーワードを、キーワード切替部によって一定時間または異なる時間間隔で切り替えて一つのキーワードを選ぶキーワード切替ステップと、
前記キーワード切替ステップで選ばれたそれぞれの前記キーワードに関連するそれぞれの映像または音楽のコンテンツのシンボルを切り替えながら一覧表示する一覧表示ステップとを備えた再生方法であって、
前記一覧表示ステップは、少なくとも前記一覧表示指示がされた後に行われる再生方法。
【請求項１３】
前記キーワード特定ステップは、前記一覧表示指示がされた後に行われる、請求項１２に記載の再生方法。
【請求項１４】
前記一単位は、前記映像または音の、一番組または一曲であり、
前記一番組または一曲に予めキーワードが用意されており、
前記キーワード特定ステップでは、前記予め用意されているキーワードを利用して前記複数個のキーワードを特定する、請求項１２または１３に記載の再生方法。
【請求項１５】
前記映像または音の一番組または一曲が複数の時間帯に区切られており、前記一単位は、前記複数の時間帯のうちの所定の一時間帯であり、
前記映像に対応する字幕データがあり、
前記キーワード特定ステップでは、前記一覧表示指示がされたときに、そのタイミングに対応する前記所定の一時間帯に対応する前記字幕データから前記複数個のキーワードを抽出することにより、前記複数個のキーワードを特定する、請求項１２または１３に記載の再生方法。
【請求項１６】
前記映像または音の一番組または一曲が複数の時間帯に区切られており、前記一単位は、前記複数の時間帯のうちの所定の一時間帯であり、
前記各時間帯には、一または複数のキーワードが予め割り当てられており、
前記キーワード特定ステップでは、前記一覧表示指示がされたときに、そのタイミングに対応する前記所定の一時間帯に予め割り当てられている前記複数個のキーワードを取り出すことにより、前記複数個のキーワードを特定する、請求項１２または１３に記載の再生方法。
【請求項１７】
請求項１２に記載の再生方法の、前記再生中の一単位に対応する複数個のキーワードを特定する前記キーワード特定ステップ、前記特定された複数個のキーワードを一定時間または異なる時間間隔で切り替えて一つのキーワードを選ぶ前記キーワード切替ステップ、前記キーワード切替ステップで選ばれたそれぞれの前記キーワードに関連するそれぞれの映像または音楽のコンテンツのシンボルを切り替えながら一覧表示する前記一覧表示ステップをコンピュータに実行させるプログラム。
【請求項１８】
請求項１７に記載のプログラムを記録した記録媒体であって、コンピュータにより処理可能な記録媒体。
【発明の詳細な説明】
【技術分野】
【０００１】
本発明は、再生装置、再生方法、プログラムおよび記録媒体に関する。例えば、複数のメディアの映像や音楽を再生できる再生装置およびその再生方法等に関する。
【背景技術】
【０００２】
近年、１つのメディアから得られる情報の再生だけではなく、複数のメディアから得られる情報を再生できる再生装置が多く提供されるようになってきた。【０００３】
例えば、レコーダ一体型のデジタルテレビでは、放送波を受信して得られる動画データを表示するだけではなく、一旦録画した動画データを再生表示したり、光ディスクに記録されている音楽データを再生したりすることもできる。【０００４】
また、携帯電話や携帯用端末などでは、さらに多くのメディアからの情報を再生できるようになってきており、ワンセグ放送を受信して得られる動画データを表示したり、録画機能を利用して記録したワンセグ放送の動画データを再生表示したり、ビデオ撮影機能を利用して録画した動画データを再生表示したり、カメラ機能を利用して撮影した静止画データを表示したり、インターネット接続通信機能を利用してインターネットから取得した動画データを表示したりすることができるようになってきている。【０００５】
ところで、このような複数のメディアからの情報を表示できる再生装置を利用するにあたり、あるメディアから取得したコンテンツを再生しているときに、そのコンテンツに関連した他のメディアのコンテンツを次々と閲覧してみたり、一時的に閲覧したいといった要望がある。例えば、ワンセグ放送で野球の試合を視聴しているときに、出場している選手に関する他のコンテンツを閲覧したり、出場しているチームに関する他のコンテンツを閲覧したい、といった要望がある。【０００６】
このような要望に対応して、テレビジョン放送番組に関連した番組情報を再生表示できるようにしたテレビジョン装置が提案されている（例えば、特許文献１参照）。【０００７】
図１０に、特許文献１で提案されているテレビジョン装置のブロック図を示す。【０００８】
テレビジョン装置１０１は、一般のテレビジョン受信機と同様の構成をなすテレビジョン受信・表示部１０２を有し、さらに、年月日・時間を刻んでこれを時間情報として出力する時計装置１０４や光ディスク再生装置１０５が内蔵されている。【０００９】
光ディスク再生装置１０５で再生される光ディスクメディア１０６には、テレビジョン放送番組に関連した番組情報などが記録されており、番組情報として少なくとも放送番組名、その番組のチャンネル名、放送日、放送時間（放送開始時刻、放送終了時刻）などの放送情報と、この放送情報以外の付帯情報とが記録されている。付帯情報はテレビジョン放送番組の内容に関連した情報であって、動画や静止画などの画像データ、音楽や効果音などの音声データ、テキストデータなどのマルチメディアデータである。【００１０】
所望のテレビジョン放送番組を受信中に、これに関連する付帯情報を再生表示させようとする場合には、ユーザはリモコンなどの選択決定入力手段１１０を操作して再生表示操作要求を入力し、これをシステム制御部１０３に転送させる。【００１１】
システム制御部１０３は、この再生表示要求を受けると、受信中のテレビジョン放送番組のチャンネル名や現在の年月日・時刻を受信データとして認識し、光ディスク再生装置１０５内の制御部１０８に制御指令として再生表示要求とこの受信データを転送する。【００１２】
制御部１０８は、この制御指令によって付帯情報の再生表示要求と受信中のテレビジョン放送番組のチャンネル名と現在の年月日・時刻を認識し、受信中のテレビジョン放送番組に関連した所定の付帯情報を光ディスクメディア１０６から読み出すように光ディスクドライブ１０７を制御する。このとき具体的には、制御部１０８は、制御指令の受信データである受信中のテレビジョン放送番組のチャンネル名と現在の年月日・時刻とを検索情報とし、さらに、光ディスクメディア１０６に記録されている上記の放送情報を検索キーとすることにより、受信中のテレビジョン放送番組に関連した付帯情報を光ディスクメディア１０６から読み出すように、光ディスクドライブ１０７を制御する。【００１３】
光ディスクドライブ１０７によって光ディスクメディア１０６から読み出された付帯情報は、光ディスク／テレビジョンインタフェース手段１０９に入力される。ここで、付帯情報は、光ディスク／テレビジョンインタフェース手段１０９によってテレビジョン受信・表示部１０２で表示可能な映像信号（例えば、ＮＴＳＣ方式の映像信号など）と音声信号（例えば、アナログ音声信号など）に変換され、それぞれテレビジョン受信・表示部１０２の映像信号入力端子及び音声信号入力端子に供給される。これにより、光ディスクメディア１０６に記録されている付帯情報を、受信中のテレビジョン放送番組に連動して、テレビジョン装置１０１で再生表示させることができる。【００１４】
図１１に、テレビジョン装置１０１の画面上における付帯情報の表示例を示す。【００１５】
例えばこのように、受信中のテレビジョン放送番組を親画面１１１に表示すると同時に、付帯情報が子画面１１２に表示される。
【先行技術文献】
【特許文献】
【００１６】
【特許文献１】特開平７−２３６０９９号公報
【発明の概要】
【発明が解決しようとする課題】
【００１７】
しかしながら、上記した従来のテレビジョン装置では、受信中のテレビジョン放送番組に関連する情報の中からユーザが要望する情報を見つけ出すのに時間がかかる場合があった。【００１８】
すなわち、上記した従来のテレビジョン装置では、ユーザが再生表示要求を入力したときに、受信中のテレビジョン放送番組に関連する付帯情報が光ディスクメディア１０６から自動的に検索されてその再生表示が開始されるため、ユーザが要望する情報がその付帯情報の最初の方にあればよいが、その付帯情報の後の方で再生される場合には、そこまでの再生時間分待たなければ要望する情報を確認できない。また、早送り等の検索機能がある場合でも、その付帯情報の後の方に配置されている場合には、要望する情報を見つけ出すのに時間がかかってしまう。【００１９】
また、光ディスクメディア１０６に予め記録されている付帯情報しか取得できないため、ユーザが要望する情報がその付帯情報の中に含まれていなかった場合には、要望する情報を見つけ出そうとした時間が無駄になってしまう。【００２０】
本発明は、上記従来のテレビジョン装置の課題を考慮して、再生中のコンテンツに関連したコンテンツであってユーザが要望するコンテンツを従来よりも見つけやすい再生装置および再生方法等を提供することを目的とする。
【課題を解決するための手段】
【００２１】
上述した課題を解決するために、第１の本発明は、
映像または音を再生する再生部と、
再生中の前記映像または音の一単位に関連する映像または音のコンテンツのシンボルの一覧表示指示をする一覧表示指示部と、
前記コンテンツのシンボルとそのコンテンツに付されたキーワードとで構成されたコンテンツ関係情報が格納されたコンテンツ関係情報格納部と、
前記再生中の一単位に対応する複数個のキーワードを特定するキーワード特定部と、
前記キーワード特定部で特定された複数のキーワードを一定時間または異なる時間間隔で切り替えて一つのキーワードを選ぶキーワード切替部と、
前記キーワード切替部によって選ばれたキーワードで、前記コンテンツ関係情報格納部の前記コンテンツ関係情報の前記キーワードを検索して関連するコンテンツを検出し、その関連するコンテンツのシンボルを特定し、前記キーワード切替部によってキーワードが切り替えられる毎に、前記特定したシンボルを入れ替えていくシンボル入替部と、
前記シンボル入替部によって特定されたシンボルを、前記再生部によって切り替えながら画面に一覧表示させる一覧表示制御部とを備え、
前記一覧表示制御部は、少なくとも前記一覧表示指示があった後に動作する、再生装置である。【００２２】
また、第２の本発明は、
前記キーワード特定部は、前記一覧表示指示があった後に動作する、第１の本発明の再生装置である。【００２３】
また、第３の本発明は、
前記再生中の一単位は、前記一覧表示の際には、前記シンボルと並んで表示される、第１または第２の本発明の再生装置である。【００２４】
また、第４の本発明は、
前記一単位は、前記映像または音の、一番組または一曲である、第１〜第３のいずれかの本発明の再生装置である。【００２５】
また、第５の本発明は、
前記一番組または一曲に予めキーワードが用意されており、
前記キーワード特定部は、前記予め用意されているキーワードを利用して前記複数個のキーワードを特定する、第４の本発明の再生装置である。【００２６】
また、第６の本発明は、
前記映像または音の一番組または一曲が複数の時間帯に区切られており、前記一単位は、前記複数の時間帯のうちの所定の一時間帯である、第１〜第３のいずれかの本発明の再生装置である。【００２７】
また、第７の本発明は、
前記映像に対応する字幕データを格納する番組付属情報格納部を備え、
前記キーワード特定部は、前記一覧表示指示があったときに、そのタイミングに対応する前記所定の一時間帯に対応する前記字幕データから前記複数個のキーワードを抽出することにより、前記複数個のキーワードを特定する、第６の本発明の再生装置である。【００２８】
また、第８の本発明は、
前記各時間帯に予め割り当てられている一または複数のキーワードを格納している割当キーワード格納部を備え、
前記キーワード特定部は、前記一覧表示指示があったときに、そのタイミングに対応する前記所定の一時間帯に予め割り当てられている前記複数個のキーワードを前記割当キーワード格納部から取り出すことにより、前記複数個のキーワードを特定する、第６の本発明の再生装置である。【００２９】
また、第９の本発明は、
前記一覧表示しているときに前記所定の一時間帯が終了した場合、
前記キーワード特定部は、次の一時間帯に対応する複数個のキーワードを新たに特定し
、
前記キーワード切替部は、前記キーワード特定部で新たに特定された複数のキーワードを一定時間または異なる時間間隔で切り替えて一つのキーワードを選び、
前記シンボル入替部は、前記新たに特定された複数のキーワードの中から前記キーワード切替部によって選ばれたキーワードで、関連するコンテンツを検出し、その関連するコンテンツのシンボルを特定し、前記キーワード切替部によってキーワードが切り替えられる毎に、その特定したシンボルを入れ替えていき、
前記一覧表示制御部は、前記シンボル入替部によって特定されたシンボルを、前記再生部によって前記画面に切り替えながら一覧表示させる、第６の本発明の再生装置である。【００３０】
また、第１０の本発明は、
前記一覧表示されているシンボルの中から、いずれかのシンボルを選択して指示するシンボル選択指示部と、
前記シンボル選択指示部によって選択指示された動作を取り消す選択取り消し指示を出す選択取り消し指示部とを備え、
前記再生部は、前記シンボル選択指示部によってシンボルが選択されたときには、その選択されたシンボルに対応するコンテンツの表示サイズを拡張して前記画面に再生表示させ、前記選択されたシンボルに対応するコンテンツを再生表示させているときに前記選択取り消し指示部によって前記選択取り消し指示がされた場合には、前記画面に前記シンボルが選択されたときの一覧表示に戻し表示させる、第６の本発明の再生装置である。【００３１】
また、第１１の本発明は、
前記表示制御部は、前記キーワードに関連しないコンテンツであり、かつ、前記キーワードに関連して対応する前記シンボルが表示されているコンテンツを有するメディア以外の他のメディアが有するコンテンツに対応するシンボルも、前記一覧表示に表示させ、前記他のメディアが有するコンテンツに対応するシンボルを、前記キーワードに関連するコンテンツのシンボルよりも小さいサイズで表示させる、第１〜第３のいずれかの本発明の再生装置である。【００３２】
また、第１２の本発明は、
映像または音の一単位を再生する再生ステップと、
再生中の前記一単位に関連する映像または音のコンテンツのシンボルの一覧表示指示をする一覧表示指示ステップと、
キーワード特定部によって、前記再生中の一単位に対応する複数個のキーワードを特定するキーワード特定ステップと、
前記特定された複数個のキーワードを、キーワード切替部によって一定時間または異なる時間間隔で切り替えて一つのキーワードを選ぶキーワード切替ステップと、
前記キーワード切替ステップで選ばれたそれぞれの前記キーワードに関連するそれぞれの映像または音楽のコンテンツのシンボルを切り替えながら一覧表示する一覧表示ステップとを備えた再生方法であって、
前記一覧表示ステップは、少なくとも前記一覧表示指示がされた後に行われる再生方法である。【００３３】
また、第１３の本発明は、
前記キーワード特定ステップは、前記一覧表示指示がされた後に行われる、第１２の本発明の再生方法である。【００３４】
また、第１４の本発明は、
前記一単位は、前記映像または音の、一番組または一曲であり、
前記一番組または一曲に予めキーワードが用意されており、
前記キーワード特定ステップでは、前記予め用意されているキーワードを利用して前記複数個のキーワードを特定する、第１２または第１３の本発明の再生方法である。【００３５】
また、第１５の本発明は、
前記映像または音の一番組または一曲が複数の時間帯に区切られており、前記一単位は、前記複数の時間帯のうちの所定の一時間帯であり、
前記映像に対応する字幕データがあり、
前記キーワード特定ステップでは、前記一覧表示指示がされたときに、そのタイミングに対応する前記所定の一時間帯に対応する前記字幕データから前記複数個のキーワードを抽出することにより、前記複数個のキーワードを特定する、第１２または第１３の本発明の再生方法である。【００３６】
また、第１６の本発明は、
前記映像または音の一番組または一曲が複数の時間帯に区切られており、前記一単位は、前記複数の時間帯のうちの所定の一時間帯であり、
前記各時間帯には、一または複数のキーワードが予め割り当てられており、
前記キーワード特定ステップでは、前記一覧表示指示がされたときに、そのタイミングに対応する前記所定の一時間帯に予め割り当てられている前記複数個のキーワードを取り出すことにより、前記複数個のキーワードを特定する、第１２または第１３の本発明の再生方法である。【００３７】
また、第１７の本発明は、
第１２の本発明の再生方法の、前記再生中の一単位に対応する複数個のキーワードを特定する前記キーワード特定ステップ、前記特定された複数個のキーワードを一定時間または異なる時間間隔で切り替えて一つのキーワードを選ぶ前記キーワード切替ステップ、前記キーワード切替ステップで選ばれたそれぞれの前記キーワードに関連するそれぞれの映像または音楽のコンテンツのシンボルを切り替えながら一覧表示する前記一覧表示ステップをコンピュータに実行させるプログラムである。【００３８】
また、第１８の本発明は、
第１７の本発明のプログラムを記録した記録媒体であって、コンピュータにより処理可能な記録媒体である。
【発明の効果】
【００３９】
本発明により、再生中のコンテンツに関連したコンテンツであってユーザが要望するコンテンツを従来よりも見つけやすい再生装置および再生方法等を提供できる。
【図面の簡単な説明】
【００４０】
【図１】本発明の実施の形態１の再生装置の構成図
【図２】本発明の実施の形態１の再生装置の画面に表示させる関連コンテンツ一覧の表示例を示す図
【図３】本発明の実施の形態１の再生装置の、関連コンテンツ一覧表示および一覧表示から選択された関連コンテンツ再生の処理時の画面の表示遷移を示す図
【図４】本発明の実施の形態１の再生装置の、関連コンテンツ一覧表示処理時および一覧表示から選択された関連コンテンツ再生処理時の処理フローを示す図
【図５】本発明の実施の形態１の再生装置のキーワード特定部で特定される複数のキーワードが、番組ごとに特定される場合の、関連コンテンツ一覧表示を説明する図
【図６】本発明の実施の形態１の再生装置のキーワード特定部で特定される複数のキーワードが、一つの番組が複数の時間帯に区切られその区切られた時間帯ごとに特定される場合の、関連コンテンツ一覧表示を説明する図
【図７】本発明の実施の形態１の再生装置のキーワード特定部で特定される複数のキーワードが、字幕データからも抽出される場合の、関連コンテンツ一覧表示を説明する図
【図８】本発明の実施の形態１の再生装置のキーワード特定部でキーワードを特定するための期間が関連コンテンツ一覧表示中に終了する場合の、関連コンテンツ一覧表示を説明する図
【図９】本発明の実施の形態１の再生装置において、関連コンテンツを再生表示させた後、その関連コンテンツを選択した関連コンテンツ一覧表示に戻れるようにした関連コンテンツ一覧表示を説明する図
【図１０】従来の光ディスク再生装置を内蔵したテレビジョン装置のブロック図
【図１１】従来のテレビジョン装置の画面上における付帯情報の表示例を示す図
【発明を実施するための形態】
【００４１】
以下に、本発明の実施の形態について、図面を参照しながら詳細に述べる。
【００４２】
（実施の形態１）
図１に、本発明の実施の形態１の再生装置１０の構成図を示す。
【００４３】
ユーザ入力部１１は、ユーザからのキー操作、リモコン操作を受け付ける。
【００４４】
再生部１２は、表示制御部１４からの指示にしたがって映像やコンテンツの再生やサムネイル表示を行い、画面２１およびスピーカ２２に出力する。再生部１２は、現在の再生モードのコンテンツについては、コンテンツ情報格納部１８からそのコンテンツ２６の映像音声データを読み出して再生する。再生部１２は、再生するモードがワンセグモードまたはＤＬＮＡモードの場合は、データ受信部１３から映像音声データ、字幕データおよび番組内容データを受信し、そのデータを再生する。
【００４５】
なお、ここでは、再生部１２によって再生される映像や音を「コンテンツ」という。「音」とは、音楽や音声であり、映像には静止画などの画像も含まれるものとする。
【００４６】
表示制御部１４は、ユーザ入力部１１で受け付けられた指示内容にしたがって、再生部１２による再生動作を制御する。表示制御部１４は、ユーザ入力部１１が関連コンテンツの一覧表示指示を受け付けたとき、コンテンツ検索部１５から渡されるサムネイルを再生部１２によって一覧表示させる。
【００４７】
また、表示制御部１４は、ユーザ入力部１１で上下左右キー、決定キーなどで、画面２１上に一覧表示させたサムネイルの中からコンテンツが選択指示されると、再生部１２によってその選択されたコンテンツデータ（映像音声）２６をコンテンツ情報格納部１８から読み出させて画面２１の全画面に再生させる。
【００４８】
なお、表示制御部１４が、本発明の一覧表示制御部の一例にあたり、コンテンツ検索部１５が、本発明のシンボル入替部の一例にあたる。また、一覧表示指示を受け付けるユーザ入力部１１が、本発明の一覧表示指示部の一例にあたる。
【００４９】
データ受信部１３およびコンテンツ情報格納部１８から読み出された字幕データおよび番組内容データは、キーワード特定部１６にも入力される。
【００５０】
データ受信部１３は、外部からネットワーク２０を介して映像音声データ、字幕データやメタデータを受信する。ネットワーク２０としては、放送、インターネット、Ｂｌｕｅｔｏｏｔｈ（登録商標）などがあるがネットワークに依存するものではない。
【００５１】
キーワード特定部１６は、データ受信部１３で受信またはコンテンツ情報格納部１８から読み出した字幕データおよびメタデータ（番組内容データなど）２４を解析して複数のキーワードを取り出して、キーワード切替部１７にキーワードを通知する。それらの複数のキーワードの通知を受けたキーワード切替部１７は、一定の時間ごとにそれらの複数のキーワードの中から順に選択した一つのキーワードをコンテンツ検索部１５に通知する。
【００５２】
キーワード特定部１６で特定され、その特定された複数のキーワードの中からキーワード切替部１７によって選ばれた一つのキーワードについて、コンテンツ検索部１５で当該キーワードに関連するコンテンツが見つかった場合に、コンテンツ検索部１５は、そのコンテンツのサムネイル２５をコンテンツ情報格納部１８から取得し、表示制御部１４に渡す。
【００５３】
なお、コンテンツ情報格納部１８が、本発明のコンテンツ関係情報格納部の一例にあたる。また、コンテンツ情報格納部１８に格納されているサムネイル２５が、本発明のシンボルの一例にあたり、メタデータ２４に含まれるキーワードが、本発明のコンテンツに付されたキーワードの一例にあたる。また、字幕データを格納するコンテンツ情報格納部１８が、本発明の番組付属情報格納部の一例にもあたる。
【００５４】
コンテンツ検索部１５は、キーワード切替部１７で別のキーワードに切り替えられた場合に、そのキーワードをコンテンツ情報格納部１８のメタデータ２４から検索し、見つかった場合、そのメタデータ２４に対応するサムネイル２５を表示制御部１４に渡す。
【００５５】
画面２１には、再生部１２によって再生される映像が出力され、スピーカ２２からは、再生部１２によって再生される音声が出力される。画面２１として、液晶などのディスプレイデバイスが想定される。
【００５６】
コンテンツ情報格納部１８には、データ受信部１３が受信した映像音声データ、字幕データおよび番組内容データなどが格納される。格納方法は、例えばワンセグ番組の録画や、ネットワーク経由のダウンロードなどで行われる。また、コンテンツ情報格納部１８として、再生装置１０に内蔵されているメモリや、着脱可能なメモリカードなどを用いることができる。
【００５７】
また、端末情報格納部１９には、各モードのコンテンツ（最後に再生されたコンテンツ）の情報や現在の再生モード情報などの端末情報２３が格納されている。
【００５８】
なお、図１に示した構成例では、画面２１およびスピーカ２２が再生装置１０の外部に接続される構成としているが、これらの出力デバイスが再生装置１０に内蔵される構成であってもよい。
【００５９】
図２に、本実施の形態１の再生装置１０の画面２１に表示させる関連コンテンツ一覧の画面表示例を示す。
【００６０】
図２に示すように、画面２１上には、この再生装置１０が再生可能なコンテンツのサムネイル画像３２〜３６を表示する。この画面は、再生するコンテンツの種類を切り替える画面であり、リモコンや内蔵キーのホームキーを押すことにより表示され、ユーザが見たいコンテンツを選択して再生する。
【００６１】
図２に示した例では、ワンセグ番組（ワンセグモード）、記録されたビデオコンテンツ（ビデオモード）、ネットワーク経由のサーバーのビデオコンテンツ（ＤＬＮＡモード）、音楽コンテンツ（音楽モード）、静止画コンテンツ（静止画モード）、インターネット動画コンテンツ（ネット動画モード）のサムネイルを表示する。
【００６２】
キーやタッチパネル、リモコンなどで見たいモードのサムネイルをユーザが選択すると、そのサムネイルのコンテンツが再生される。
【００６３】
図２の画面で、再生中がワンセグモードであった場合、ワンセグの再生画像３１が表示されるとともに、そのワンセグの字幕や番組内容データを受信し、字幕や番組内容データに含まれるキーワードを抽出し、そのキーワードに関連する、他のモードのコンテンツを検索し、対応するコンテンツのサムネイル画像３２〜３６を表示する。すなわち、ワンセグの番組内容が「野球」であった場合に、ビデオ、音楽、静止画やネットからのネット動画、ＤＬＮＡのメタデータが格納されているコンテンツ情報格納部１８から検索して、「野球」に対応するそれぞれのモードのコンテンツが存在する場合、そのコンテンツのサムネイル画像３２〜３６を各モードのサムネイル領域に表示する。また、そのときに検索に利用したキーワードが「野球」であることを示すキーワード表示３０も表示する。
【００６４】
番組内容や字幕データの内容が変わっていくと、他モードのサムネイル画像３２〜３６がその内容に関連するサムネイル画像３２〜３６に表示更新されていく。
【００６５】
また、再生中のコンテンツから複数のキーワードが抽出された場合には、検索に利用する一つのキーワードが一定の時間ごとに切り替えられて、他モードのサムネイル画像３２〜３６が、一定の時間ごとに切り替えられたキーワードに関連するコンテンツのサムネイル画像３２〜３６に表示更新されていく。
【００６６】
そして、ユーザがリモコンやタッチパネルなどで他モードのサムネイル画像３２〜３６のいずれかを選択すると、そのサムネイルのコンテンツが画面２１に全画面で再生される。
【００６７】
次に、本実施の形態１の再生装置１０における関連コンテンツ一覧表示処理の動作について説明する。
【００６８】
図３に、本実施の形態１の再生装置１０における関連コンテンツ一覧表示の処理および一覧表示から選択された関連コンテンツ再生の処理を説明するための画面の表示遷移を示し、図４に、再生装置１０におけるそのときの処理フローを示す。
【００６９】
ここでは、ワンセグモードを再生中に、ユーザから関連コンテンツ一覧表示の要求を受け、ユーザが関連コンテンツ一覧表示の中から関連コンテンツを選択した場合の動作について説明する。
【００７０】
データ受信部１３で受信したワンセグ放送の再生画像３１が再生部１２によって画面２１の全画面に再生表示されている（ステップＳ１０）ときに、ユーザ入力部１１でホームキーを入力されると（ステップＳ１１）、ユーザから関連コンテンツの一覧表示が要求されたものとして、関連コンテンツ一覧表示指示２８がユーザ入力部１１から表示制御部１４へ通知される。ユーザからの関連コンテンツ一覧表示の要求がなければ、再生画像３１の全画面表示が継続される。
【００７１】
表示制御部１４は、関連コンテンツ一覧表示指示２８が通知されると、端末情報格納部１９から各モードの最後の再生コンテンツ情報を取得し、コンテンツ情報格納部１８からそのコンテンツのサムネイル２５を取得し、再生部１２によって各モードの最後のサムネイル画像３７を表示させる（ステップＳ１２）。
【００７２】
また、表示制御部１４は、端末情報格納部１９から現在の再生モード情報を取得し、そのモードの再生コンテンツ情報を元に、コンテンツ情報格納部１８（ビデオ、音楽、静止画モードの場合）またはデータ受信部１３（ワンセグ、ＤＬＮＡ、ネット動画モードの場合）から映像音声データ、字幕データ、および番組内容データを再生部１２に読み出させて再生させる。
【００７３】
この場合、現在の再生モードはワンセグモードなので、このとき、画面２１には、表示サイズを小さくしたワンセグモードの再生画像３１とともに、他の各モードの最後の再生コンテンツのサムネイル画像３７が並べて表示される。
【００７４】
また、表示制御部１４は、キーワード特定部１６にキーワード特定指示を出し、キーワード特定指示を受けたキーワード特定部１６は、データ受信部１３またはコンテンツ情報格納部１８から再生中のコンテンツの字幕データおよび番組内容データを受信または読み出して解析し、複数のキーワードを特定する（ステップＳ１３）。
【００７５】
キーワード切替部１７は、キーワード特定部１６によって特定された複数のキーワードの中から一つのキーワードを選択し、そのキーワードを検索用キーワードとしてコンテンツ検索部１５に通知する。その後、キーワード切替部１７は、キーワード特定部１６によって特定された複数のキーワードの中から順に、一定時間（例えば、５秒間隔）ごとに別のキーワードに切り替えて、キーワードを切り替える毎にそのキーワードを検索用キーワードとしてコンテンツ検索部１５に通知する（ステップＳ１４）。
【００７６】
コンテンツ検索部１５は、キーワード切替部１７で選択されて通知された検索用キーワードに関連するコンテンツをコンテンツ情報格納部１８のメタデータ２４を用いて検索し、見つかったコンテンツのサムネイル２５を取得し、表示制御部１４に渡す（ステップＳ１５）。
【００７７】
なお、コンテンツ２６がコンテンツ情報格納部１８に格納されるときに、そのコンテンツ２６に対応するメタデータ２４もコンテンツ情報格納部１８に格納される。ＤＬＮＡメタデータおよびネット動画メタデータは、データ受信部１３が定期的にネットワーク２０から受信してコンテンツ情報格納部１８に格納する。
【００７８】
ワンセグモードのメタデータには、例えば、番組内容データや字幕データが含まれている。ビデオモードのメタデータには、例えば、記録した番組の番組内容データや字幕データが含まれている。音楽モードのメタデータには、例えば、アーティスト名や曲名が含まれている。静止画モードのメタデータには、ユーザが入力したコメントなどが含まれている。
【００７９】
そして、表示制御部１４は、取得したサムネイル２５を表示するように、再生部１２によって画面２１の表示を更新させる（ステップＳ１６）。したがって、図３に示すように、一覧に表示されていた最後のサムネイル画像３７が、関連コンテンツが検索されると、検索された関連コンテンツのサムネイル画像３８へ表示変更される。
【００８０】
さらに、一定時間ごとに検索用キーワードが切り替えられる（ステップＳ１４）ので、関連コンテンツ一覧表示２７の関連コンテンツのサムネイル画像３８は、一定時間ごとに、切り替えられた検索用キーワードに関連した関連コンテンツのサムネイル画像３８に切り替えられる（ステップＳ１６）ことになる。
【００８１】
例えば、キーワード特定部１６で特定される複数のキーワードが、「野球」、「ヤンキース」および「ヤンキースタジアム」の３つのキーワードとしたとき、キーワード切替部１７が５秒ごとにこれらのキーワードを切り替えるとすると、図３に示すように、関連コンテンツ一覧表示２７は、「野球」、「ヤンキース」および「ヤンキースタジアム」のそれぞれに関連するサムネイル画像３８が表示される関連コンテンツ一覧画面表示４０〜４２が、５秒ごとに切り替え表示されることになる。
【００８２】
図２は、キーワード切替部１７によって、「野球」が検索用キーワードとして選択されたときの関連コンテンツ一覧表示２７の表示例を示している。
【００８３】
図２の場合、ビデオモード、音楽モードおよびネット動画モードでは、コンテンツ検索部１５によって検索用キーワード「野球」に関連するコンテンツが検索され、それらのサムネイル画像３２、３４、３６が表示されている。一方、ＤＬＮＡモードおよび静止画モードでは、検索用キーワード「野球」に関連するコンテンツが見つからなかったので、検索用キーワード「野球」には関連しないコンテンツのサムネイル画像３３、３５が表示されている。検索用キーワードには関連しないサムネイル画像３３、３５として、例えばこれらのモードの最後の再生コンテンツのサムネイル画像が表示される。
【００８４】
図２では、「野球」に関連するコンテンツが見つからなかったモードを区別できるように、ＤＬＮＡモードおよび静止画モードのサムネイル画像３３、３５を、関連するコンテンツが見つかったビデオモード、音楽モードおよびネット動画モードのサムネイル画像３２、３４、３６よりも小さいサイズで表示するようにしている。これ以外の方法により、キーワードによって検索できたモードと検索できなかったモードを区別できるようにしてもよい。例えば、検索できなかったモードのサムネイル画像を表示しないようにしたり、「検索できたコンテンツが無かった」旨の表示をするなどしてもよい。
【００８５】
ユーザ操作によってユーザ入力部１１からの操作内容に従って、関連コンテンツ一覧表示２７からサムネイル画像が選択された場合（ステップＳ１７）、関連コンテンツ選択指示２９がユーザ入力部１１から表示制御部１４へ通知される。
【００８６】
なお、関連コンテンツ一覧表示２７からサムネイル画像を選択する際に、ユーザによってフォーカスが当てられたサムネイル画像のコンテンツを、そのサムネイル画像の表示領域内で再生表示させるようにしてもよい。このようにすることにより、選択するコンテンツを決定する前に、ユーザは、そのサムネイル画像に対応するコンテンツがどのようなコンテンツであるかを確認することができる。
【００８７】
表示制御部１４は、関連コンテンツ選択指示２９で通知されたサムネイルのコンテンツを、再生部１２によってコンテンツ情報格納部１８から取得させ、その選択コンテンツの再生画像３９を画面２１に全画面で再生開始させる（ステップＳ１８）。このとき、ユーザに選択指示されたサムネイルのコンテンツがワンセグ、ＤＬＮＡ、またはネット動画の場合、再生部１２は、データ受信部１３から放送やネットワーク経由でデータ受信し、再
生する。
【００８８】
なお、ユーザからの関連コンテンツ選択指示の操作を受け付けるユーザ入力部１１が、本発明のシンボル選択指示部の一例にあたる。
【００８９】
なお、上記では、表示制御部１４が関連コンテンツ一覧表示指示２８を通知されたときに、キーワード特定部１６へキーワード特定指示を出して、キーワード特定部１６、キーワード切替部１７およびコンテンツ検索部１５に一連の処理を行わせることとしたが、少なくとも表示制御部１４が再生部１２によって関連コンテンツ一覧画面を表示させる処理（ステップＳ１６）が、表示制御部１４に関連コンテンツ一覧表示指示２８が通知された後に実行されるようにすればよく、キーワード特定部１６、キーワード切替部１７およびコンテンツ検索部１５における処理は、表示制御部１４に関連コンテンツ一覧表示指示２８が通知される前から実行されてもよい。
【００９０】
表示制御部１４が再生部１２によって関連コンテンツ一覧画面を表示させる処理（ステップＳ１６）のみを、表示制御部１４に関連コンテンツ一覧表示指示２８が通知された後に行わせることとし、キーワード特定部１６、キーワード切替部１７およびコンテンツ検索部１５における処理をそれよりも前から実行させていた場合には、ユーザが関連コンテンツ一覧表示指示２８を出すためにホームキーを押したときに、最後のサムネイル画像３７の一覧を表示することなく、すぐに関連コンテンツ一覧表示２７が表示されることになる。
【００９１】
キーワード特定部１６、キーワード切替部１７およびコンテンツ検索部１５における処理を、表示制御部１４に関連コンテンツ一覧表示指示２８が通知される前から実行させておくかどうかは、その再生装置１０の処理能力を考慮して決定すればよい。例えば、処理負荷の小さいキーワード特定部１６における処理については関連コンテンツ一覧表示指示２８が通知される前から行わせておき、キーワード切替部１７およびコンテンツ検索部１５における処理については、関・BR>Aコンテンツ一覧表示指示２８が通知された後に行わせるようにしてもよい。
【００９２】
また、キーワード特定部１６で特定される複数のキーワードは、番組ごとまたは曲ごとに特定されるものであってもよく、また、一つの番組や一つの曲が複数の時間帯に区切られており、それらの区切られた時間帯ごとに特定されるものであってもよい。
【００９３】
なお、特定される複数のキーワードが番組ごとまたは曲ごとに特定される場合の、一番組および一曲が、本発明の一単位の一例にあたる。また、一つの番組や一つの曲が複数の時間帯に区切られておりそれらの区切られた時間帯ごとにキーワードが特定される場合の、各時間帯が、本発明の一単位の一例にあたる。
【００９４】
図５は、キーワード特定部１６で特定される複数のキーワードが、番組ごとに特定される場合の、関連コンテンツ一覧表示を説明する図を示している。
【００９５】
図５に示すように、「ドラマ」、「野球中継」および「ニュース」の３つの番組が、この順に放送され、それぞれ、期間４３、期間４４および期間４５の時間帯に放送されるものとする。
【００９６】
キーワード特定部１６は、番組ごとに設けられた番組内容データから、複数のキーワードを抽出することにより、複数のキーワードを特定する。
【００９７】
なお、この場合の番組内容データに含まれている複数のキーワードが、本発明の予め用意されているキーワードの一例にあたる。
【００９８】
ドラマが放送される期間４３では「病院」、「外科医」および「移植」の３つのキーワードが、野球中継が放送される期間４４では「野球」、「ヤンキース」および「ヤンキースタジアム」の３つのキーワードが、ニュースが放送される期間４５では「台風」、「渋滞」、「年金」および「雇用」の４つのキーワードが、それぞれの番組内容データから抽出されて特定される。
【００９９】
キーワード特定部１６は、ユーザがユーザ入力部１１で関連コンテンツ一覧表示の要求をするタイミングに応じた複数のキーワードを抽出し、特定する。
【０１００】
例えば、期間４４に、ユーザがユーザ入力部１１で関連コンテンツ一覧表示の要求をした場合、キーワード特定部１６は、そのときに再生されている「野球中継」の番組内容データから、「野球」、「ヤンキース」および「ヤンキースタジアム」の３つのキーワードを抽出して特定する。
【０１０１】
このとき、キーワード切替部１７は、キーワード特定部１６で特定された３つのキーワード「野球」、「ヤンキース」および「ヤンキースタジアム」を、一定間隔で順に切り替えて検索用キーワードを選択するので、関連コンテンツ一覧表示２７は、図５に示すように「野球」、「ヤンキース」および「ヤンキースタジアム」のそれぞれに関連するサムネイル画像３８が表示される関連コンテンツ一覧画面表示４０〜４２が、５秒ごとに切り替え表示される。
【０１０２】
図６は、キーワード特定部１６で特定される複数のキーワードが、一つの番組が複数の時間帯に区切られその区切られた時間帯ごとに特定される場合の、関連コンテンツ一覧表示を説明する図を示している。
【０１０３】
図６に示すように、一つの番組「ニュース」が複数の時間帯（期間４６、期間４７、期間４８）に区切られており、キーワード特定部１６は、ユーザがユーザ入力部１１で関連コンテンツ一覧表示の要求をするタイミングに応じた複数のキーワードを抽出し、特定する。
【０１０４】
例えば、一つの番組「ニュース」を放送している時間内で、時間帯ごとにデータ放送によって送られてくる番組内容データが異なっており、キーワード特定部１６は、そのデータ放送で送られてくる番組内容データから、各時間帯に対応する複数のキーワードを特定する。
【０１０５】
例えば、番組「ニュース」のうち、スポーツに関する情報を放送している期間４７に、ユーザがユーザ入力部１１で関連コンテンツ一覧表示の要求をした場合、キーワード特定部１６は、そのときにデータ受信部１３が受信しているデータ放送に含まれる番組内容データから、「野球」、「ゴルフ」および「サッカー」という３つのキーワードを抽出して特定する。
【０１０６】
このとき、キーワード切替部１７は、キーワード特定部１６で特定された３つのキーワード「野球」、「ゴルフ」および「サッカー」を、一定間隔で順に切り替えて検索用キーワードを選択するので、関連コンテンツ一覧表示４９は、図６に示すように「野球」、「ゴルフ」および「サッカー」のそれぞれに関連するサムネイル画像３８が表示される関連コンテンツ一覧画面表示５０〜５２が、５秒ごとに切り替え表示される。
【０１０７】
また、キーワード特定部１６が特定するキーワードとして、字幕データから抽出したキーワードを用いるようにしてもよい。
【０１０８】
図７は、キーワード特定部１６で特定される複数のキーワードとして、字幕データから抽出したキーワードも用いて表示する関連コンテンツ一覧表示を説明する図を示している。
【０１０９】
図７において、字幕５５、字幕５６および字幕５７は、番組「ドラマ」内で、それぞれの字幕が表示される期間を示している。期間５８、５９、６０は、それぞれ字幕５５、５６、５７に対応して、各字幕からキーワードを抽出する期間を示している。各字幕からキーワードを抽出する期間５８、５９、６０は、各字幕５５、５６、５７の表示が消えた後も、所定期間内（例えば、表示が消えた３秒後まで）はその字幕データがキーワードの抽出に利用されるように設定されている。
【０１１０】
字幕からキーワードを抽出する期間に、ユーザがユーザ入力部１１で関連コンテンツ一覧表示の要求をした場合、キーワード特定部１６は、番組で特定されるキーワードに加えてその期間に対応する字幕データからもキーワードを抽出する。
【０１１１】
例えば、番組「ドラマ」内の字幕５７の表示に対応する期間６０に、ユーザがユーザ入力部１１で関連コンテンツ一覧表示の要求をした場合、キーワード特定部１６は、番組「ドラマ」に対して特定される３つのキーワード「病院」、「外科医」および「移植」に加えて、字幕５７に対応する字幕データからもキーワードを抽出し、その字幕データから抽出した２つのキーワード「骨折」および「交通事故」も特定したキーワードとしてキーワード切替部１７に通知する。
【０１１２】
キーワード切替部１７は、キーワード特定部１６で特定された５つのキーワード「骨折」、「交通事故」、「病院」、「外科医」および「移植」を、一定間隔で順に切り替えて検索用キーワードを選択するので、関連コンテンツ一覧表示５３は、図７に示すように「骨折」、「交通事故」、「病院」、「外科医」および「移植」のそれぞれに関連するサムネイル画像が表示される関連コンテンツ一覧画面表示６１〜６５が、５秒ごとに切り替え表示される。
【０１１３】
次に、キーワード特定部１６によってキーワードを特定するための一つの期間が、関連コンテンツ一覧表示中に終了する場合の動作について説明する。
【０１１４】
図８は、キーワード特定部１６によってキーワードを特定するための期間が関連コンテンツ一覧表示中に終了する場合の関連コンテンツ一覧表示を説明する図を示している。
【０１１５】
図８は、図５と同様に、キーワード特定部１６で特定される複数のキーワードが番組ごとに特定される場合の例であり、「ドラマ」が放送される期間４３の時間帯に続く期間４４の時間帯に「野球中継」が放送されるものとする。
【０１１６】
「ドラマ」が放送されている期間４３に、ユーザがユーザ入力部１１で関連コンテンツ一覧表示の要求をした場合、キーワード特定部１６は、そのときに再生されている「ドラ
マ」の番組内容データから、「病院」、「外科医」および「移植」の３つのキーワードを抽出して特定する。そして、キーワード切替部１７は、キーワード特定部１６で特定された３つのキーワード「病院」、「外科医」および「移植」を、一定間隔で順に切り替えて検索用キーワードを選択するので、関連コンテンツ一覧表示５４は、図８に示すように「病院」、「外科医」および「移植」のそれぞれに関連するサムネイル画像が表示される関連コンテンツ一覧画面表示６３〜６５が、５秒ごとに切り替え表示される。
【０１１７】
そして、関連コンテンツ一覧表示５４が表示されている間に、「ドラマ」を放送している期間４３が終了して次の期間４４となったとき、番組内容データが「野球中継」のものに変わるため、キーワード特定部１６で特定される複数のキーワードも変わる。関連コンテンツ一覧表示で切り替え表示するために利用するキーワード群が変化するため、期間４３から期間４４の時間帯に変わったときに、関連コンテンツ一覧表示５４は関連コンテンツ一覧表示２７に変化する。すなわち、期間４３を終了した後は、「ドラマ」の番組内容データから抽出された３つのキーワード「野球」、「ヤンキース」および「ヤンキースタジアム」のそれぞれに関連するサムネイル画像が表示される関連コンテンツ一覧画面表示４０〜４２が、５秒ごとに切り替え表示されるようになる。
【０１１８】
なお、ここでは、時間帯が変化するのに伴って特定されるキーワードも変更することとしたが、時間帯が変化してもその後所定の時間が経過するまで前の時間帯のキーワードを引き続き利用して関連コンテンツ一覧を表示するようにしたり、ユーザがキーワードの更新を指示できるような操作を設定しておいて、時間帯が変化しても、その操作が行われるまでは前の時間帯のキーワードを引き続き利用して関連コンテンツ一覧を表示するようにしてもよい。このようにした場合、図８では、関連コンテンツ一覧表示５４が表示されているときに期間４３が終了した場合でも、期間４３の終了後所定の時間、またはユーザがキーワードの更新指示をするまで、関連コンテンツ一覧表示５４が継続して表示される。
【０１１９】
ユーザは、関連コンテンツ一覧表示で表示されるサムネイル画像から選択した関連コンテンツを一時的に再生して確認したい場合もある。このような場合には、ユーザが所望の関連コンテンツを再生表示させた後、その関連コンテンツを選択したときの関連コンテンツ一覧表示に戻れるようにすると便利である。
【０１２０】
図９は、関連コンテンツを再生表示させた後、その関連コンテンツを選択した関連コンテンツ一覧表示に戻れるようにした本実施の形態１の再生装置における関連コンテンツ一覧表示を説明する図を示している。
【０１２１】
図９には、図３において、関連コンテンツ一覧表示２７からサムネイルを選択し、そのサムネイルに対応する選択コンテンツの再生画像３９が全画面に表示された状態を示している。
【０１２２】
選択コンテンツの再生画像３９が全画面に表示されている状態で、ユーザがユーザ入力部１１でホームキーを入力すると、ユーザ入力部１１から表示制御部１４へ関連コンテンツ一覧表示指示２８が通知され、画面２１には、選択コンテンツに関連するコンテンツ一覧表示６７が表示される。コンテンツ一覧表示６７には、選択コンテンツの再生画像３９で再生されているコンテンツから特定されたキーワードを用いて検索されたコンテンツのサムネイル画像が表示されるため、選択コンテンツを選択した関連コンテンツ一覧表示２７を表示させるために利用されたキーワードと異なり、関連コンテンツ一覧表示２７とは異なるコンテンツの一覧が表示されることになる。
【０１２３】
ここでは、リモコンの「戻る」キーなどに、一つ前の関連コンテンツ一覧表示に戻る設定を割当てておく。選択コンテンツの再生画像３９が全画面に表示されている状態で、ユーザが「戻る」キーを入力すると、ユーザ入力部１１から表示制御部１４へ関連コンテンツ選択取り消し指示６６が通知される。
【０１２４】
表示制御部１４は、関連コンテンツ選択取り消し指示６６の通知を受けると、再生部１２に、選択コンテンツの再生画像３９が全画面に表示される一つ前の画面、すなわち選択コンテンツを選択したときの画面表示をさせるように制御する。これにより、画面２１には、選択コンテンツに対応するサムネイル画像が表示されていたときの関連コンテンツ一覧表示２７が表示される。
【０１２５】
このように対応することにより、ユーザは、関連コンテンツ一覧表示２７に表示されたサムネイルに対応するコンテンツを一時的に再生しても、再度同じ関連コンテンツ一覧表示２７に戻り、他のコンテンツを選択できるようになる。
【０１２６】
また、図８で説明したのと同様に、選択コンテンツの再生画像３９が全画面に表示されている状態で、選択コンテンツに対応するサムネイル画像を選択したときの期間（例えば、図８の期間４３）が終了して、特定されるキーワードが異なる次の時間帯（例えば、図８の期間４４）に変化していた場合であっても、「戻る」キーを入力することにより、前の時間帯（期間４３）に表示されていた関連コンテンツ一覧表示２７に戻すことができる。
【０１２７】
なお、「戻る」キーが入力されて関連コンテンツ選択取り消し指示６６を通知するユーザ入力部１１が、本発明の選択取り消し指示部の一例にあたる。
【０１２８】
なお、上記した本実施の形態１では、いずれの時間帯に対しても複数のキーワードが特定されるものとして説明したが、特定されるキーワードが一つの時間帯や、特定されるキーワードが一つも無い時間帯があってもよい。
【０１２９】
特定されるキーワードが一つの時間帯の場合には、関連コンテンツの一覧表示の際に、キーワードの切り替えによる一定時間ごとの切り替え表示はされず、同じ一覧画面が継続して表示されることになる。特定されるキーワードが一つも無い時間帯の場合には、関連コンテンツの一覧表示の際に、例えば、検索用のキーワードが抽出できなかった旨を表示するとともに、各モードの最後のコンテンツのサムネイル画像を一覧表示する画面が継続して表示される。
【０１３０】
なお、複数のキーワードが特定される時間帯が、本発明の所定の一時間帯の一例にあたる。
【０１３１】
また、本実施の形態１では、複数のキーワードを番組内容データや字幕データから抽出して特定することとしたが、各番組や各時間帯に対応する複数のキーワードを予め設定しておき、そのキーワードをメタデータ２４とともにコンテンツ情報格納部１８などに格納しておいて、再生中のコンテンツに対応する予め設定されたキーワードをコンテンツ情報格納部１８から取り出すことにより、キーワードを特定するようにしてもよい。
【０１３２】
なお、この場合における、予め設定された各時間帯に対応する複数のキーワードを格納するコンテンツ情報格納部１８が、本発明の割当キーワード格納部の一例にあたる。
【０１３３】
また、本実施の形態１では、一つの入力メディア（モード）に対して一つのサムネイル画像を表示するものとして説明したが、一つのメディアから複数の関連するコンテンツが検出された場合には、それらのコンテンツごとに複数のサムネイル画像を表示させるようにしてもよい。例えば、図２において、記録されたビデオコンテンツの中に、キーワード「野球」で検索されるコンテンツが２つあった場合、ビデオモードのサムネイル画像をもう一つ追加して画面２１に表示する。
【０１３４】
一つのメディアから検出される複数の関連するコンテンツに対応するサムネイル画像を関連コンテンツ一覧表示に同時に表示させるようにすることにより、本発明は、ビデオ専用プレーヤのような入力メディアが一つしかないような再生装置にも適用できる。
【０１３５】
また、一つの入力メディアに対して一つのサムネイル画像を表示させるものとしておき、一つの入力メディアに対して検索用キーワードで検出されるコンテンツが複数あった場合には、そのキーワードに対応するサムネイル画像が表示されている期間内に、それらの複数のコンテンツに対応するサムネイル画像を切り替え表示するようにしてもよい。また、関連コンテンツ一覧表示において該当するキーワードに切り替えられて表示される毎に、一つの入力メディアに対して検出された複数のコンテンツに対応するサムネイル画像の一つを順に表示させていくようにしてもよい。
【０１３６】
また、本実施の形態１では、キーワード切替部１７におけるキーワードの切り替えを５秒ごとに行うこととして説明したが、キーワードの切り替えの間隔は、５秒より短くても、５秒より長くてもよい。切り替え間隔の時間は、関連コンテンツ一覧表示に表示させるサムネイル画像の数や、再生装置の処理能力などに応じて設定すればよい。また、キーワードの切り替え間隔は、一定の間隔で切り替えるのではなく、異なる所定の間隔で切り替えるようにしてもよい。例えば、特定された複数のキーワードに重み付けをし、優先度の高いキーワードに関連するコンテンツのサムネイル画像が一覧表示される時間を、優先度の低いキーワードに関連するコンテンツのサムネイル画像が一覧表示される時間よりも長くなるように、キーワードの切り替え間隔を設定する。
【０１３７】
なお、本発明のプログラムは、上述した再生方法の、前記再生中の一単位に対応する複数個のキーワードを特定する前記キーワード特定ステップ、前記特定された複数個のキーワードを一定時間または異なる時間間隔で切り替えて一つのキーワードを選ぶ前記キーワード切替ステップ、前記キーワード切替ステップで選ばれたそれぞれの前記キーワードに関連するそれぞれの映像または音楽のコンテンツのシンボルを切り替えながら一覧表示する前記一覧表示ステップの動作をコンピュータにより実行させるためのプログラムであって、コンピュータと協働して動作するプログラムである。
【０１３８】
また、本発明の記録媒体は、上述した再生方法の、前記再生中の一単位に対応する複数個のキーワードを特定する前記キーワード特定ステップ、前記特定された複数個のキーワードを一定時間または異なる時間間隔で切り替えて一つのキーワードを選ぶ前記キーワード切替ステップ、前記キーワード切替ステップで選ばれたそれぞれの前記キーワードに関連するそれぞれの映像または音楽のコンテンツのシンボルを切り替えながら一覧表示する前記一覧表示ステップの動作をコンピュータにより実行させるためのプログラムを記録した記録媒体であり、コンピュータにより読み取り可能かつ、読み取られた前記プログラムが前記コンピュータと協働して利用される記録媒体である。
【０１３９】
また、本発明の上記「前記制御ステップの動作」とは、前記制御ステップの全部または一部の動作を意味する。
【０１４０】
また、本発明のプログラムの一利用形態は、コンピュータにより読み取り可能な、ＲＯＭ等の記録媒体に記録され、コンピュータと協働して動作する態様であっても良い。
【０１４１】
また、本発明のプログラムの一利用形態は、インターネット等の伝送媒体、光・電波等の伝送媒体中を伝送し、コンピュータにより読みとられ、コンピュータと協働して動作する態様であっても良い。
【０１４２】
また、上述した本発明のコンピュータは、ＣＰＵ等の純然たるハードウェアに限らず、ファームウェアや、ＯＳ、更に周辺機器を含むものであっても良い。
【０１４３】
なお、以上説明した様に、本発明の構成は、ソフトウェア的に実現しても良いし、ハードウェア的に実現しても良い。
【産業上の利用可能性】
【０１４４】
本発明に係る再生装置および再生方法等は、再生中のコンテンツに関連したコンテンツであってユーザが要望するコンテンツを従来よりも見つけやすい効果を有し、複数のメディアの映像や音楽を再生できる再生装置および再生方法等として有用である。
【符号の説明】
【０１４５】
１０  再生装置
１１  ユーザ入力部
１２  再生部
１３  データ受信部
１４  表示制御部
１５  コンテンツ検索部
１６  キーワード特定部
１７  キーワード切替部
１８  コンテンツ情報格納部
１９  端末情報格納部
２０  ネットワーク
２１  画面
２２  スピーカ
２３  端末情報
２４  メタデータ
２５  サムネイル
２６  コンテンツ
２７  関連コンテンツ一覧表示
２８  関連コンテンツ一覧表示指示
２９  関連コンテンツ選択指示
３０  キーワード表示
３１  再生画像
３２〜３６  サムネイル画像
３７  最後のサムネイル画像
３８  関連コンテンツのサムネイル画像
３９  選択コンテンツの再生画像
４０〜４２  関連コンテンツ一覧画面表示
４３〜４８  期間
４９  関連コンテンツ一覧表示
５０〜５２  関連コンテンツ一覧画面表示
５３  関連コンテンツ一覧表示
５４  関連コンテンツ一覧表示
５５〜５７  字幕
５８〜６０  期間
６１〜６５  関連コンテンツ一覧画面表示
６６  関連コンテンツ選択取り消し指示
６７  選択コンテンツに関連するコンテンツ一覧表示
【図１】
2011048720.tif 000003
【図２】
2011048720.tif 000004
【図３】
2011048720.tif 000005
【図４】
2011048720.tif 000006
【図５】
2011048720.tif 000007
【図６】
2011048720.tif 000008
【図７】
2011048720.tif 000009
【図８】
2011048720.tif 000010
【図９】
2011048720.tif 000011
【図１０】
2011048720.tif 000012
【図１１】
2011048720.tif 000013
【手続補正書】
【提出日】平成24年3月2日(2012.3.2)
【手続補正１】
【補正対象書類名】明細書
【補正対象項目名】全文
【補正方法】変更
【補正の内容】
【発明の詳細な説明】
【技術分野】
【０００１】
本発明は、再生装置、再生方法、プログラムおよび記録媒体に関する。例えば、複数のメディアの映像や音楽を再生できる再生装置およびその再生方法等に関する。
【背景技術】
【０００２】
近年、１つのメディアから得られる情報の再生だけではなく、複数のメディアから得られる情報を再生できる再生装置が多く提供されるようになってきた。
【０００３】
例えば、レコーダ一体型のデジタルテレビでは、放送波を受信して得られる動画データを表示するだけではなく、一旦録画した動画データを再生表示したり、光ディスクに記録されている音楽データを再生したりすることもできる。
【０００４】
また、携帯電話や携帯用端末などでは、さらに多くのメディアからの情報を再生できるようになってきており、ワンセグ放送を受信して得られる動画データを表示したり、録画機能を利用して記録したワンセグ放送の動画データを再生表示したり、ビデオ撮影機能を利用して録画した動画データを再生表示したり、カメラ機能を利用して撮影した静止画データを表示したり、インターネット接続通信機能を利用してインターネットから取得した動画データを表示したりすることができるようになってきている。
【０００５】
ところで、このような複数のメディアからの情報を表示できる再生装置を利用するにあたり、あるメディアから取得したコンテンツを再生しているときに、そのコンテンツに関連した他のメディアのコンテンツを次々と閲覧してみたり、一時的に閲覧したいといった要望がある。例えば、ワンセグ放送で野球の試合を視聴しているときに、出場している選手に関する他のコンテンツを閲覧したり、出場しているチームに関する他のコンテンツを閲覧したい、といった要望がある。
【０００６】
このような要望に対応して、テレビジョン放送番組に関連した番組情報を再生表示できるようにしたテレビジョン装置が提案されている（例えば、特許文献１参照）。
【０００７】
図１０に、特許文献１で提案されているテレビジョン装置のブロック図を示す。
【０００８】
テレビジョン装置１０１は、一般のテレビジョン受信機と同様の構成をなすテレビジョン受信・表示部１０２を有し、さらに、年月日・時間を刻んでこれを時間情報として出力する時計装置１０４や光ディスク再生装置１０５が内蔵されている。
【０００９】
光ディスク再生装置１０５で再生される光ディスクメディア１０６には、テレビジョン放送番組に関連した番組情報などが記録されており、番組情報として少なくとも放送番組名、その番組のチャンネル名、放送日、放送時間（放送開始時刻、放送終了時刻）などの放送情報と、この放送情報以外の付帯情報とが記録されている。付帯情報はテレビジョン放送番組の内容に関連した情報であって、動画や静止画などの画像データ、音楽や効果音などの音声データ、テキストデータなどのマルチメディアデータである。
【００１０】
所望のテレビジョン放送番組を受信中に、これに関連する付帯情報を再生表示させようとする場合には、ユーザはリモコンなどの選択決定入力手段１１０を操作して再生表示操作要求を入力し、これをシステム制御部１０３に転送させる。
【００１１】
システム制御部１０３は、この再生表示要求を受けると、受信中のテレビジョン放送番組のチャンネル名や現在の年月日・時刻を受信データとして認識し、光ディスク再生装置１０５内の制御部１０８に制御指令として再生表示要求とこの受信データを転送する。
【００１２】
制御部１０８は、この制御指令によって付帯情報の再生表示要求と受信中のテレビジョン放送番組のチャンネル名と現在の年月日・時刻を認識し、受信中のテレビジョン放送番組に関連した所定の付帯情報を光ディスクメディア１０６から読み出すように光ディスクドライブ１０７を制御する。このとき具体的には、制御部１０８は、制御指令の受信データである受信中のテレビジョン放送番組のチャンネル名と現在の年月日・時刻とを検索情報とし、さらに、光ディスクメディア１０６に記録されている上記の放送情報を検索キーとすることにより、受信中のテレビジョン放送番組に関連した付帯情報を光ディスクメディア１０６から読み出すように、光ディスクドライブ１０７を制御する。
【００１３】
光ディスクドライブ１０７によって光ディスクメディア１０６から読み出された付帯情報は、光ディスク／テレビジョンインタフェース手段１０９に入力される。ここで、付帯情報は、光ディスク／テレビジョンインタフェース手段１０９によってテレビジョン受信・表示部１０２で表示可能な映像信号（例えば、ＮＴＳＣ方式の映像信号など）と音声信号（例えば、アナログ音声信号など）に変換され、それぞれテレビジョン受信・表示部１０２の映像信号入力端子及び音声信号入力端子に供給される。これにより、光ディスクメディア１０６に記録されている付帯情報を、受信中のテレビジョン放送番組に連動して、テレビジョン装置１０１で再生表示させることができる。
【００１４】
図１１に、テレビジョン装置１０１の画面上における付帯情報の表示例を示す。
【００１５】
例えばこのように、受信中のテレビジョン放送番組を親画面１１１に表示すると同時に、付帯情報が子画面１１２に表示される。
【先行技術文献】
【特許文献】
【００１６】
【特許文献１】特開平７−２３６０９９号公報
【発明の概要】
【発明が解決しようとする課題】
【００１７】
しかしながら、上記した従来のテレビジョン装置では、受信中のテレビジョン放送番組に関連する情報の中からユーザが要望する情報を見つけ出すのに時間がかかる場合があった。
【００１８】
すなわち、上記した従来のテレビジョン装置では、ユーザが再生表示要求を入力したときに、受信中のテレビジョン放送番組に関連する付帯情報が光ディスクメディア１０６から自動的に検索されてその再生表示が開始されるため、ユーザが要望する情報がその付帯情報の最初の方にあればよいが、その付帯情報の後の方で再生される場合には、そこまでの再生時間分待たなければ要望する情報を確認できない。また、早送り等の検索機能がある場合でも、その付帯情報の後の方に配置されている場合には、要望する情報を見つけ出すのに時間がかかってしまう。
【００１９】
また、光ディスクメディア１０６に予め記録されている付帯情報しか取得できないため、ユーザが要望する情報がその付帯情報の中に含まれていなかった場合には、要望する情報を見つけ出そうとした時間が無駄になってしまう。
【００２０】
本発明は、上記従来のテレビジョン装置の課題を考慮して、再生中のコンテンツに関連したコンテンツであってユーザが要望するコンテンツを従来よりも見つけやすい再生装置および再生方法等を提供することを目的とする。
【課題を解決するための手段】
【００２１】
上述した課題を解決するために、第１の本発明は、
映像または音を再生する再生部と、
再生中の前記映像または音の一単位に関連する映像または音のコンテンツのシンボルの一覧表示指示をする一覧表示指示部と、
前記コンテンツのシンボルとそのコンテンツに付されたキーワードとで構成されたコンテンツ関係情報が格納されたコンテンツ関係情報格納部と、
前記再生中の一単位に対応する複数個のキーワードを特定するキーワード特定部と、
前記キーワード特定部で特定された複数のキーワードを一定時間または異なる時間間隔で切り替えて一つのキーワードを選ぶキーワード切替部と、
前記キーワード切替部によって選ばれたキーワードで、前記コンテンツ関係情報格納部の前記コンテンツ関係情報の前記キーワードを検索して関連するコンテンツを検出し、その関連するコンテンツのシンボルを特定し、前記キーワード切替部によってキーワードが切り替えられる毎に、前記特定したシンボルを入れ替えていくシンボル入替部と、
前記シンボル入替部によって特定されたシンボルを、前記再生部によって切り替えながら画面に一覧表示させる一覧表示制御部とを備え、
前記一覧表示制御部は、少なくとも前記一覧表示指示があった後に動作する、再生装置である。
【００２２】
また、第２の本発明は、
前記キーワード特定部は、前記一覧表示指示があった後に動作する、第１の本発明の再生装置である。
【００２３】
また、第３の本発明は、
前記再生中の一単位は、前記一覧表示の際には、前記シンボルと並んで表示される、第１または第２の本発明の再生装置である。
【００２４】
また、第４の本発明は、
前記一単位は、前記映像または音の、一番組または一曲である、第１〜第３のいずれかの本発明の再生装置である。
【００２５】
また、第５の本発明は、
前記一番組または一曲に予めキーワードが用意されており、
前記キーワード特定部は、前記予め用意されているキーワードを利用して前記複数個のキーワードを特定する、第４の本発明の再生装置である。
【００２６】
また、第６の本発明は、
前記映像または音の一番組または一曲が複数の時間帯に区切られており、前記一単位は、前記複数の時間帯のうちの所定の一時間帯である、第１〜第３のいずれかの本発明の再生装置である。
【００２７】
また、第７の本発明は、
前記映像に対応する字幕データを格納する番組付属情報格納部を備え、
前記キーワード特定部は、前記一覧表示指示があったときに、そのタイミングに対応する前記所定の一時間帯に対応する前記字幕データから前記複数個のキーワードを抽出することにより、前記複数個のキーワードを特定する、第６の本発明の再生装置である。
【００２８】
また、第８の本発明は、
前記各時間帯に予め割り当てられている一または複数のキーワードを格納している割当キーワード格納部を備え、
前記キーワード特定部は、前記一覧表示指示があったときに、そのタイミングに対応する前記所定の一時間帯に予め割り当てられている前記複数個のキーワードを前記割当キーワード格納部から取り出すことにより、前記複数個のキーワードを特定する、第６の本発明の再生装置である。
【００２９】
また、第９の本発明は、
前記一覧表示しているときに前記所定の一時間帯が終了した場合、
前記キーワード特定部は、次の一時間帯に対応する複数個のキーワードを新たに特定し
、
前記キーワード切替部は、前記キーワード特定部で新たに特定された複数のキーワードを一定時間または異なる時間間隔で切り替えて一つのキーワードを選び、
前記シンボル入替部は、前記新たに特定された複数のキーワードの中から前記キーワード切替部によって選ばれたキーワードで、関連するコンテンツを検出し、その関連するコンテンツのシンボルを特定し、前記キーワード切替部によってキーワードが切り替えられる毎に、その特定したシンボルを入れ替えていき、
前記一覧表示制御部は、前記シンボル入替部によって特定されたシンボルを、前記再生部によって前記画面に切り替えながら一覧表示させる、第６の本発明の再生装置である。
【００３０】
また、第１０の本発明は、
前記一覧表示されているシンボルの中から、いずれかのシンボルを選択して指示するシンボル選択指示部と、
前記シンボル選択指示部によって選択指示された動作を取り消す選択取り消し指示を出す選択取り消し指示部とを備え、
前記再生部は、前記シンボル選択指示部によってシンボルが選択されたときには、その選択されたシンボルに対応するコンテンツの表示サイズを拡張して前記画面に再生表示させ、前記選択されたシンボルに対応するコンテンツを再生表示させているときに前記選択取り消し指示部によって前記選択取り消し指示がされた場合には、前記画面に前記シンボルが選択されたときの一覧表示に戻し表示させる、第６の本発明の再生装置である。
【００３１】
また、第１１の本発明は、
前記表示制御部は、前記キーワードに関連しないコンテンツであり、かつ、前記キーワードに関連して対応する前記シンボルが表示されているコンテンツを有するメディア以外の他のメディアが有するコンテンツに対応するシンボルも、前記一覧表示に表示させ、前記他のメディアが有するコンテンツに対応するシンボルを、前記キーワードに関連するコンテンツのシンボルよりも小さいサイズで表示させる、第１〜第３のいずれかの本発明の再生装置である。
【００３２】
また、第１２の本発明は、
映像または音の一単位を再生する再生ステップと、
再生中の前記一単位に関連する映像または音のコンテンツのシンボルの一覧表示指示をする一覧表示指示ステップと、
キーワード特定部によって、前記再生中の一単位に対応する複数個のキーワードを特定するキーワード特定ステップと、
前記特定された複数個のキーワードを、キーワード切替部によって一定時間または異なる時間間隔で切り替えて一つのキーワードを選ぶキーワード切替ステップと、
前記キーワード切替ステップで選ばれたそれぞれの前記キーワードに関連するそれぞれの映像または音楽のコンテンツのシンボルを切り替えながら一覧表示する一覧表示ステップとを備えた再生方法であって、
前記一覧表示ステップは、少なくとも前記一覧表示指示がされた後に行われる再生方法である。
【００３３】
また、第１３の本発明は、
前記キーワード特定ステップは、前記一覧表示指示がされた後に行われる、第１２の本発明の再生方法である。
【００３４】
また、第１４の本発明は、
前記一単位は、前記映像または音の、一番組または一曲であり、
前記一番組または一曲に予めキーワードが用意されており、
前記キーワード特定ステップでは、前記予め用意されているキーワードを利用して前記複数個のキーワードを特定する、第１２または第１３の本発明の再生方法である。
【００３５】
また、第１５の本発明は、
前記映像または音の一番組または一曲が複数の時間帯に区切られており、前記一単位は、前記複数の時間帯のうちの所定の一時間帯であり、
前記映像に対応する字幕データがあり、
前記キーワード特定ステップでは、前記一覧表示指示がされたときに、そのタイミングに対応する前記所定の一時間帯に対応する前記字幕データから前記複数個のキーワードを抽出することにより、前記複数個のキーワードを特定する、第１２または第１３の本発明の再生方法である。
【００３６】
また、第１６の本発明は、
前記映像または音の一番組または一曲が複数の時間帯に区切られており、前記一単位は、前記複数の時間帯のうちの所定の一時間帯であり、
前記各時間帯には、一または複数のキーワードが予め割り当てられており、
前記キーワード特定ステップでは、前記一覧表示指示がされたときに、そのタイミングに対応する前記所定の一時間帯に予め割り当てられている前記複数個のキーワードを取り出すことにより、前記複数個のキーワードを特定する、第１２または第１３の本発明の再生方法である。
【００３７】
また、第１７の本発明は、
第１２の本発明の再生方法の、前記再生中の一単位に対応する複数個のキーワードを特定する前記キーワード特定ステップ、前記特定された複数個のキーワードを一定時間または異なる時間間隔で切り替えて一つのキーワードを選ぶ前記キーワード切替ステップ、前記キーワード切替ステップで選ばれたそれぞれの前記キーワードに関連するそれぞれの映像または音楽のコンテンツのシンボルを切り替えながら一覧表示する前記一覧表示ステップをコンピュータに実行させるプログラムである。
【００３８】
また、第１８の本発明は、
第１７の本発明のプログラムを記録した記録媒体であって、コンピュータにより処理可能な記録媒体である。
【発明の効果】
【００３９】
本発明により、再生中のコンテンツに関連したコンテンツであってユーザが要望するコンテンツを従来よりも見つけやすい再生装置および再生方法等を提供できる。
【図面の簡単な説明】
【００４０】
【図１】本発明の実施の形態１の再生装置の構成図
【図２】本発明の実施の形態１の再生装置の画面に表示させる関連コンテンツ一覧の表示例を示す図
【図３】本発明の実施の形態１の再生装置の、関連コンテンツ一覧表示および一覧表示から選択された関連コンテンツ再生の処理時の画面の表示遷移を示す図
【図４】本発明の実施の形態１の再生装置の、関連コンテンツ一覧表示処理時および一覧表示から選択された関連コンテンツ再生処理時の処理フローを示す図
【図５】本発明の実施の形態１の再生装置のキーワード特定部で特定される複数のキーワードが、番組ごとに特定される場合の、関連コンテンツ一覧表示を説明する図
【図６】本発明の実施の形態１の再生装置のキーワード特定部で特定される複数のキーワードが、一つの番組が複数の時間帯に区切られその区切られた時間帯ごとに特定される場合の、関連コンテンツ一覧表示を説明する図
【図７】本発明の実施の形態１の再生装置のキーワード特定部で特定される複数のキーワードが、字幕データからも抽出される場合の、関連コンテンツ一覧表示を説明する図
【図８】本発明の実施の形態１の再生装置のキーワード特定部でキーワードを特定するための期間が関連コンテンツ一覧表示中に終了する場合の、関連コンテンツ一覧表示を説明する図
【図９】本発明の実施の形態１の再生装置において、関連コンテンツを再生表示させた後、その関連コンテンツを選択した関連コンテンツ一覧表示に戻れるようにした関連コンテンツ一覧表示を説明する図
【図１０】従来の光ディスク再生装置を内蔵したテレビジョン装置のブロック図
【図１１】従来のテレビジョン装置の画面上における付帯情報の表示例を示す図
【発明を実施するための形態】
【００４１】
以下に、本発明の実施の形態について、図面を参照しながら詳細に述べる。
【００４２】
（実施の形態１）
図１に、本発明の実施の形態１の再生装置１０の構成図を示す。
【００４３】
ユーザ入力部１１は、ユーザからのキー操作、リモコン操作を受け付ける。
【００４４】
再生部１２は、表示制御部１４からの指示にしたがって映像やコンテンツの再生やサムネイル表示を行い、画面２１およびスピーカ２２に出力する。再生部１２は、現在の再生モードのコンテンツについては、コンテンツ情報格納部１８からそのコンテンツ２６の映像音声データを読み出して再生する。再生部１２は、再生するモードがワンセグモードまたはＤＬＮＡモードの場合は、データ受信部１３から映像音声データ、字幕データおよび番組内容データを受信し、そのデータを再生する。
【００４５】
なお、ここでは、再生部１２によって再生される映像や音を「コンテンツ」という。「音」とは、音楽や音声であり、映像には静止画などの画像も含まれるものとする。
【００４６】
表示制御部１４は、ユーザ入力部１１で受け付けられた指示内容にしたがって、再生部１２による再生動作を制御する。表示制御部１４は、ユーザ入力部１１が関連コンテンツの一覧表示指示を受け付けたとき、コンテンツ検索部１５から渡されるサムネイルを再生部１２によって一覧表示させる。
【００４７】
また、表示制御部１４は、ユーザ入力部１１で上下左右キー、決定キーなどで、画面２１上に一覧表示させたサムネイルの中からコンテンツが選択指示されると、再生部１２によってその選択されたコンテンツデータ（映像音声）２６をコンテンツ情報格納部１８から読み出させて画面２１の全画面に再生させる。
【００４８】
なお、表示制御部１４が、本発明の一覧表示制御部の一例にあたり、コンテンツ検索部１５が、本発明のシンボル入替部の一例にあたる。また、一覧表示指示を受け付けるユーザ入力部１１が、本発明の一覧表示指示部の一例にあたる。
【００４９】
データ受信部１３およびコンテンツ情報格納部１８から読み出された字幕データおよび番組内容データは、キーワード特定部１６にも入力される。
【００５０】
データ受信部１３は、外部からネットワーク２０を介して映像音声データ、字幕データやメタデータを受信する。ネットワーク２０としては、放送、インターネット、Ｂｌｕｅｔｏｏｔｈ（登録商標）などがあるがネットワークに依存するものではない。
【００５１】
キーワード特定部１６は、データ受信部１３で受信またはコンテンツ情報格納部１８から読み出した字幕データおよびメタデータ（番組内容データなど）２４を解析して複数のキーワードを取り出して、キーワード切替部１７にキーワードを通知する。それらの複数のキーワードの通知を受けたキーワード切替部１７は、一定の時間ごとにそれらの複数のキーワードの中から順に選択した一つのキーワードをコンテンツ検索部１５に通知する。
【００５２】
キーワード特定部１６で特定され、その特定された複数のキーワードの中からキーワード切替部１７によって選ばれた一つのキーワードについて、コンテンツ検索部１５で当該キーワードに関連するコンテンツが見つかった場合に、コンテンツ検索部１５は、そのコンテンツのサムネイル２５をコンテンツ情報格納部１８から取得し、表示制御部１４に渡す。
【００５３】
なお、コンテンツ情報格納部１８が、本発明のコンテンツ関係情報格納部の一例にあたる。また、コンテンツ情報格納部１８に格納されているサムネイル２５が、本発明のシンボルの一例にあたり、メタデータ２４に含まれるキーワードが、本発明のコンテンツに付されたキーワードの一例にあたる。また、字幕データを格納するコンテンツ情報格納部１８が、本発明の番組付属情報格納部の一例にもあたる。
【００５４】
コンテンツ検索部１５は、キーワード切替部１７で別のキーワードに切り替えられた場合に、そのキーワードをコンテンツ情報格納部１８のメタデータ２４から検索し、見つかった場合、そのメタデータ２４に対応するサムネイル２５を表示制御部１４に渡す。
【００５５】
画面２１には、再生部１２によって再生される映像が出力され、スピーカ２２からは、再生部１２によって再生される音声が出力される。画面２１として、液晶などのディスプレイデバイスが想定される。
【００５６】
コンテンツ情報格納部１８には、データ受信部１３が受信した映像音声データ、字幕データおよび番組内容データなどが格納される。格納方法は、例えばワンセグ番組の録画や、ネットワーク経由のダウンロードなどで行われる。また、コンテンツ情報格納部１８として、再生装置１０に内蔵されているメモリや、着脱可能なメモリカードなどを用いることができる。
【００５７】
また、端末情報格納部１９には、各モードのコンテンツ（最後に再生されたコンテンツ）の情報や現在の再生モード情報などの端末情報２３が格納されている。
【００５８】
なお、図１に示した構成例では、画面２１およびスピーカ２２が再生装置１０の外部に接続される構成としているが、これらの出力デバイスが再生装置１０に内蔵される構成であってもよい。
【００５９】
図２に、本実施の形態１の再生装置１０の画面２１に表示させる関連コンテンツ一覧の画面表示例を示す。
【００６０】
図２に示すように、画面２１上には、この再生装置１０が再生可能なコンテンツのサムネイル画像３２〜３６を表示する。この画面は、再生するコンテンツの種類を切り替える画面であり、リモコンや内蔵キーのホームキーを押すことにより表示され、ユーザが見たいコンテンツを選択して再生する。
【００６１】
図２に示した例では、ワンセグ番組（ワンセグモード）、記録されたビデオコンテンツ（ビデオモード）、ネットワーク経由のサーバーのビデオコンテンツ（ＤＬＮＡモード）、音楽コンテンツ（音楽モード）、静止画コンテンツ（静止画モード）、インターネット動画コンテンツ（ネット動画モード）のサムネイルを表示する。
【００６２】
キーやタッチパネル、リモコンなどで見たいモードのサムネイルをユーザが選択すると、そのサムネイルのコンテンツが再生される。
【００６３】
図２の画面で、再生中がワンセグモードであった場合、ワンセグの再生画像３１が表示されるとともに、そのワンセグの字幕や番組内容データを受信し、字幕や番組内容データに含まれるキーワードを抽出し、そのキーワードに関連する、他のモードのコンテンツを検索し、対応するコンテンツのサムネイル画像３２〜３６を表示する。すなわち、ワンセグの番組内容が「野球」であった場合に、ビデオ、音楽、静止画やネットからのネット動画、ＤＬＮＡのメタデータが格納されているコンテンツ情報格納部１８から検索して、「野球」に対応するそれぞれのモードのコンテンツが存在する場合、そのコンテンツのサムネイル画像３２〜３６を各モードのサムネイル領域に表示する。また、そのときに検索に利用したキーワードが「野球」であることを示すキーワード表示３０も表示する。
【００６４】
番組内容や字幕データの内容が変わっていくと、他モードのサムネイル画像３２〜３６がその内容に関連するサムネイル画像３２〜３６に表示更新されていく。
【００６５】
また、再生中のコンテンツから複数のキーワードが抽出された場合には、検索に利用する一つのキーワードが一定の時間ごとに切り替えられて、他モードのサムネイル画像３２〜３６が、一定の時間ごとに切り替えられたキーワードに関連するコンテンツのサムネイル画像３２〜３６に表示更新されていく。
【００６６】
そして、ユーザがリモコンやタッチパネルなどで他モードのサムネイル画像３２〜３６のいずれかを選択すると、そのサムネイルのコンテンツが画面２１に全画面で再生される。
【００６７】
次に、本実施の形態１の再生装置１０における関連コンテンツ一覧表示処理の動作について説明する。
【００６８】
図３に、本実施の形態１の再生装置１０における関連コンテンツ一覧表示の処理および一覧表示から選択された関連コンテンツ再生の処理を説明するための画面の表示遷移を示し、図４に、再生装置１０におけるそのときの処理フローを示す。
【００６９】
ここでは、ワンセグモードを再生中に、ユーザから関連コンテンツ一覧表示の要求を受け、ユーザが関連コンテンツ一覧表示の中から関連コンテンツを選択した場合の動作について説明する。
【００７０】
データ受信部１３で受信したワンセグ放送の再生画像３１が再生部１２によって画面２１の全画面に再生表示されている（ステップＳ１０）ときに、ユーザ入力部１１でホームキーを入力されると（ステップＳ１１）、ユーザから関連コンテンツの一覧表示が要求されたものとして、関連コンテンツ一覧表示指示２８がユーザ入力部１１から表示制御部１４へ通知される。ユーザからの関連コンテンツ一覧表示の要求がなければ、再生画像３１の全画面表示が継続される。
【００７１】
表示制御部１４は、関連コンテンツ一覧表示指示２８が通知されると、端末情報格納部１９から各モードの最後の再生コンテンツ情報を取得し、コンテンツ情報格納部１８からそのコンテンツのサムネイル２５を取得し、再生部１２によって各モードの最後のサムネイル画像３７を表示させる（ステップＳ１２）。
【００７２】
また、表示制御部１４は、端末情報格納部１９から現在の再生モード情報を取得し、そのモードの再生コンテンツ情報を元に、コンテンツ情報格納部１８（ビデオ、音楽、静止画モードの場合）またはデータ受信部１３（ワンセグ、ＤＬＮＡ、ネット動画モードの場合）から映像音声データ、字幕データ、および番組内容データを再生部１２に読み出させて再生させる。
【００７３】
この場合、現在の再生モードはワンセグモードなので、このとき、画面２１には、表示サイズを小さくしたワンセグモードの再生画像３１とともに、他の各モードの最後の再生コンテンツのサムネイル画像３７が並べて表示される。
【００７４】
また、表示制御部１４は、キーワード特定部１６にキーワード特定指示を出し、キーワード特定指示を受けたキーワード特定部１６は、データ受信部１３またはコンテンツ情報格納部１８から再生中のコンテンツの字幕データおよび番組内容データを受信または読み出して解析し、複数のキーワードを特定する（ステップＳ１３）。
【００７５】
キーワード切替部１７は、キーワード特定部１６によって特定された複数のキーワードの中から一つのキーワードを選択し、そのキーワードを検索用キーワードとしてコンテンツ検索部１５に通知する。その後、キーワード切替部１７は、キーワード特定部１６によって特定された複数のキーワードの中から順に、一定時間（例えば、５秒間隔）ごとに別のキーワードに切り替えて、キーワードを切り替える毎にそのキーワードを検索用キーワードとしてコンテンツ検索部１５に通知する（ステップＳ１４）。
【００７６】
コンテンツ検索部１５は、キーワード切替部１７で選択されて通知された検索用キーワードに関連するコンテンツをコンテンツ情報格納部１８のメタデータ２４を用いて検索し、見つかったコンテンツのサムネイル２５を取得し、表示制御部１４に渡す（ステップＳ１５）。
【００７７】
なお、コンテンツ２６がコンテンツ情報格納部１８に格納されるときに、そのコンテンツ２６に対応するメタデータ２４もコンテンツ情報格納部１８に格納される。ＤＬＮＡメタデータおよびネット動画メタデータは、データ受信部１３が定期的にネットワーク２０から受信してコンテンツ情報格納部１８に格納する。
【００７８】
ワンセグモードのメタデータには、例えば、番組内容データや字幕データが含まれている。ビデオモードのメタデータには、例えば、記録した番組の番組内容データや字幕データが含まれている。音楽モードのメタデータには、例えば、アーティスト名や曲名が含まれている。静止画モードのメタデータには、ユーザが入力したコメントなどが含まれている。
【００７９】
そして、表示制御部１４は、取得したサムネイル２５を表示するように、再生部１２によって画面２１の表示を更新させる（ステップＳ１６）。したがって、図３に示すように、一覧に表示されていた最後のサムネイル画像３７が、関連コンテンツが検索されると、検索された関連コンテンツのサムネイル画像３８へ表示変更される。
【００８０】
さらに、一定時間ごとに検索用キーワードが切り替えられる（ステップＳ１４）ので、関連コンテンツ一覧表示２７の関連コンテンツのサムネイル画像３８は、一定時間ごとに、切り替えられた検索用キーワードに関連した関連コンテンツのサムネイル画像３８に切り替えられる（ステップＳ１６）ことになる。
【００８１】
例えば、キーワード特定部１６で特定される複数のキーワードが、「野球」、「ヤンキース」および「ヤンキースタジアム」の３つのキーワードとしたとき、キーワード切替部１７が５秒ごとにこれらのキーワードを切り替えるとすると、図３に示すように、関連コンテンツ一覧表示２７は、「野球」、「ヤンキース」および「ヤンキースタジアム」のそれぞれに関連するサムネイル画像３８が表示される関連コンテンツ一覧画面表示４０〜４２が、５秒ごとに切り替え表示されることになる。
【００８２】
図２は、キーワード切替部１７によって、「野球」が検索用キーワードとして選択されたときの関連コンテンツ一覧表示２７の表示例を示している。
【００８３】
図２の場合、ビデオモード、音楽モードおよびネット動画モードでは、コンテンツ検索部１５によって検索用キーワード「野球」に関連するコンテンツが検索され、それらのサムネイル画像３２、３４、３６が表示されている。一方、ＤＬＮＡモードおよび静止画モードでは、検索用キーワード「野球」に関連するコンテンツが見つからなかったので、検索用キーワード「野球」には関連しないコンテンツのサムネイル画像３３、３５が表示されている。検索用キーワードには関連しないサムネイル画像３３、３５として、例えばこれらのモードの最後の再生コンテンツのサムネイル画像が表示される。
【００８４】
図２では、「野球」に関連するコンテンツが見つからなかったモードを区別できるように、ＤＬＮＡモードおよび静止画モードのサムネイル画像３３、３５を、関連するコンテンツが見つかったビデオモード、音楽モードおよびネット動画モードのサムネイル画像３２、３４、３６よりも小さいサイズで表示するようにしている。これ以外の方法により、キーワードによって検索できたモードと検索できなかったモードを区別できるようにしてもよい。例えば、検索できなかったモードのサムネイル画像を表示しないようにしたり、「検索できたコンテンツが無かった」旨の表示をするなどしてもよい。
【００８５】
ユーザ操作によってユーザ入力部１１からの操作内容に従って、関連コンテンツ一覧表示２７からサムネイル画像が選択された場合（ステップＳ１７）、関連コンテンツ選択指示２９がユーザ入力部１１から表示制御部１４へ通知される。
【００８６】
なお、関連コンテンツ一覧表示２７からサムネイル画像を選択する際に、ユーザによってフォーカスが当てられたサムネイル画像のコンテンツを、そのサムネイル画像の表示領域内で再生表示させるようにしてもよい。このようにすることにより、選択するコンテンツを決定する前に、ユーザは、そのサムネイル画像に対応するコンテンツがどのようなコンテンツであるかを確認することができる。
【００８７】
表示制御部１４は、関連コンテンツ選択指示２９で通知されたサムネイルのコンテンツを、再生部１２によってコンテンツ情報格納部１８から取得させ、その選択コンテンツの再生画像３９を画面２１に全画面で再生開始させる（ステップＳ１８）。このとき、ユーザに選択指示されたサムネイルのコンテンツがワンセグ、ＤＬＮＡ、またはネット動画の場合、再生部１２は、データ受信部１３から放送やネットワーク経由でデータ受信し、再
生する。
【００８８】
なお、ユーザからの関連コンテンツ選択指示の操作を受け付けるユーザ入力部１１が、本発明のシンボル選択指示部の一例にあたる。
【００８９】
なお、上記では、表示制御部１４が関連コンテンツ一覧表示指示２８を通知されたときに、キーワード特定部１６へキーワード特定指示を出して、キーワード特定部１６、キーワード切替部１７およびコンテンツ検索部１５に一連の処理を行わせることとしたが、少なくとも表示制御部１４が再生部１２によって関連コンテンツ一覧画面を表示させる処理（ステップＳ１６）が、表示制御部１４に関連コンテンツ一覧表示指示２８が通知された後に実行されるようにすればよく、キーワード特定部１６、キーワード切替部１７およびコンテンツ検索部１５における処理は、表示制御部１４に関連コンテンツ一覧表示指示２８が通知される前から実行されてもよい。
【００９０】
表示制御部１４が再生部１２によって関連コンテンツ一覧画面を表示させる処理（ステップＳ１６）のみを、表示制御部１４に関連コンテンツ一覧表示指示２８が通知された後に行わせることとし、キーワード特定部１６、キーワード切替部１７およびコンテンツ検索部１５における処理をそれよりも前から実行させていた場合には、ユーザが関連コンテンツ一覧表示指示２８を出すためにホームキーを押したときに、最後のサムネイル画像３７の一覧を表示することなく、すぐに関連コンテンツ一覧表示２７が表示されることになる。
【００９１】
キーワード特定部１６、キーワード切替部１７およびコンテンツ検索部１５における処理を、表示制御部１４に関連コンテンツ一覧表示指示２８が通知される前から実行させておくかどうかは、その再生装置１０の処理能力を考慮して決定すればよい。例えば、処理負荷の小さいキーワード特定部１６における処理については関連コンテンツ一覧表示指示２８が通知される前から行わせておき、キーワード切替部１７およびコンテンツ検索部１５における処理については、関・BR>Aコンテンツ一覧表示指示２８が通知された後に行わせるようにしてもよい。
【００９２】
また、キーワード特定部１６で特定される複数のキーワードは、番組ごとまたは曲ごとに特定されるものであってもよく、また、一つの番組や一つの曲が複数の時間帯に区切られており、それらの区切られた時間帯ごとに特定されるものであってもよい。
【００９３】
なお、特定される複数のキーワードが番組ごとまたは曲ごとに特定される場合の、一番組および一曲が、本発明の一単位の一例にあたる。また、一つの番組や一つの曲が複数の時間帯に区切られておりそれらの区切られた時間帯ごとにキーワードが特定される場合の、各時間帯が、本発明の一単位の一例にあたる。
【００９４】
図５は、キーワード特定部１６で特定される複数のキーワードが、番組ごとに特定される場合の、関連コンテンツ一覧表示を説明する図を示している。
【００９５】
図５に示すように、「ドラマ」、「野球中継」および「ニュース」の３つの番組が、この順に放送され、それぞれ、期間４３、期間４４および期間４５の時間帯に放送されるものとする。
【００９６】
キーワード特定部１６は、番組ごとに設けられた番組内容データから、複数のキーワードを抽出することにより、複数のキーワードを特定する。
【００９７】
なお、この場合の番組内容データに含まれている複数のキーワードが、本発明の予め用意されているキーワードの一例にあたる。
【００９８】
ドラマが放送される期間４３では「病院」、「外科医」および「移植」の３つのキーワードが、野球中継が放送される期間４４では「野球」、「ヤンキース」および「ヤンキースタジアム」の３つのキーワードが、ニュースが放送される期間４５では「台風」、「渋滞」、「年金」および「雇用」の４つのキーワードが、それぞれの番組内容データから抽出されて特定される。
【００９９】
キーワード特定部１６は、ユーザがユーザ入力部１１で関連コンテンツ一覧表示の要求をするタイミングに応じた複数のキーワードを抽出し、特定する。
【０１００】
例えば、期間４４に、ユーザがユーザ入力部１１で関連コンテンツ一覧表示の要求をした場合、キーワード特定部１６は、そのときに再生されている「野球中継」の番組内容データから、「野球」、「ヤンキース」および「ヤンキースタジアム」の３つのキーワードを抽出して特定する。
【０１０１】
このとき、キーワード切替部１７は、キーワード特定部１６で特定された３つのキーワード「野球」、「ヤンキース」および「ヤンキースタジアム」を、一定間隔で順に切り替えて検索用キーワードを選択するので、関連コンテンツ一覧表示２７は、図５に示すように「野球」、「ヤンキース」および「ヤンキースタジアム」のそれぞれに関連するサムネイル画像３８が表示される関連コンテンツ一覧画面表示４０〜４２が、５秒ごとに切り替え表示される。
【０１０２】
図６は、キーワード特定部１６で特定される複数のキーワードが、一つの番組が複数の時間帯に区切られその区切られた時間帯ごとに特定される場合の、関連コンテンツ一覧表示を説明する図を示している。
【０１０３】
図６に示すように、一つの番組「ニュース」が複数の時間帯（期間４６、期間４７、期間４８）に区切られており、キーワード特定部１６は、ユーザがユーザ入力部１１で関連コンテンツ一覧表示の要求をするタイミングに応じた複数のキーワードを抽出し、特定する。
【０１０４】
例えば、一つの番組「ニュース」を放送している時間内で、時間帯ごとにデータ放送によって送られてくる番組内容データが異なっており、キーワード特定部１６は、そのデータ放送で送られてくる番組内容データから、各時間帯に対応する複数のキーワードを特定する。
【０１０５】
例えば、番組「ニュース」のうち、スポーツに関する情報を放送している期間４７に、ユーザがユーザ入力部１１で関連コンテンツ一覧表示の要求をした場合、キーワード特定部１６は、そのときにデータ受信部１３が受信しているデータ放送に含まれる番組内容データから、「野球」、「ゴルフ」および「サッカー」という３つのキーワードを抽出して特定する。
【０１０６】
このとき、キーワード切替部１７は、キーワード特定部１６で特定された３つのキーワード「野球」、「ゴルフ」および「サッカー」を、一定間隔で順に切り替えて検索用キーワードを選択するので、関連コンテンツ一覧表示４９は、図６に示すように「野球」、「ゴルフ」および「サッカー」のそれぞれに関連するサムネイル画像３８が表示される関連コンテンツ一覧画面表示５０〜５２が、５秒ごとに切り替え表示される。
【０１０７】
また、キーワード特定部１６が特定するキーワードとして、字幕データから抽出したキーワードを用いるようにしてもよい。
【０１０８】
図７は、キーワード特定部１６で特定される複数のキーワードとして、字幕データから抽出したキーワードも用いて表示する関連コンテンツ一覧表示を説明する図を示している。
【０１０９】
図７において、字幕５５、字幕５６および字幕５７は、番組「ドラマ」内で、それぞれの字幕が表示される期間を示している。期間５８、５９、６０は、それぞれ字幕５５、５６、５７に対応して、各字幕からキーワードを抽出する期間を示している。各字幕からキーワードを抽出する期間５８、５９、６０は、各字幕５５、５６、５７の表示が消えた後も、所定期間内（例えば、表示が消えた３秒後まで）はその字幕データがキーワードの抽出に利用されるように設定されている。
【０１１０】
字幕からキーワードを抽出する期間に、ユーザがユーザ入力部１１で関連コンテンツ一覧表示の要求をした場合、キーワード特定部１６は、番組で特定されるキーワードに加えてその期間に対応する字幕データからもキーワードを抽出する。
【０１１１】
例えば、番組「ドラマ」内の字幕５７の表示に対応する期間６０に、ユーザがユーザ入力部１１で関連コンテンツ一覧表示の要求をした場合、キーワード特定部１６は、番組「ドラマ」に対して特定される３つのキーワード「病院」、「外科医」および「移植」に加えて、字幕５７に対応する字幕データからもキーワードを抽出し、その字幕データから抽出した２つのキーワード「骨折」および「交通事故」も特定したキーワードとしてキーワード切替部１７に通知する。
【０１１２】
キーワード切替部１７は、キーワード特定部１６で特定された５つのキーワード「骨折」、「交通事故」、「病院」、「外科医」および「移植」を、一定間隔で順に切り替えて検索用キーワードを選択するので、関連コンテンツ一覧表示５３は、図７に示すように「骨折」、「交通事故」、「病院」、「外科医」および「移植」のそれぞれに関連するサムネイル画像が表示される関連コンテンツ一覧画面表示６１〜６５が、５秒ごとに切り替え表示される。
【０１１３】
次に、キーワード特定部１６によってキーワードを特定するための一つの期間が、関連コンテンツ一覧表示中に終了する場合の動作について説明する。
【０１１４】
図８は、キーワード特定部１６によってキーワードを特定するための期間が関連コンテンツ一覧表示中に終了する場合の関連コンテンツ一覧表示を説明する図を示している。
【０１１５】
図８は、図５と同様に、キーワード特定部１６で特定される複数のキーワードが番組ごとに特定される場合の例であり、「ドラマ」が放送される期間４３の時間帯に続く期間４４の時間帯に「野球中継」が放送されるものとする。
【０１１６】
「ドラマ」が放送されている期間４３に、ユーザがユーザ入力部１１で関連コンテンツ一覧表示の要求をした場合、キーワード特定部１６は、そのときに再生されている「ドラ
マ」の番組内容データから、「病院」、「外科医」および「移植」の３つのキーワードを抽出して特定する。そして、キーワード切替部１７は、キーワード特定部１６で特定された３つのキーワード「病院」、「外科医」および「移植」を、一定間隔で順に切り替えて検索用キーワードを選択するので、関連コンテンツ一覧表示５４は、図８に示すように「病院」、「外科医」および「移植」のそれぞれに関連するサムネイル画像が表示される関連コンテンツ一覧画面表示６３〜６５が、５秒ごとに切り替え表示される。
【０１１７】
そして、関連コンテンツ一覧表示５４が表示されている間に、「ドラマ」を放送している期間４３が終了して次の期間４４となったとき、番組内容データが「野球中継」のものに変わるため、キーワード特定部１６で特定される複数のキーワードも変わる。関連コンテンツ一覧表示で切り替え表示するために利用するキーワード群が変化するため、期間４３から期間４４の時間帯に変わったときに、関連コンテンツ一覧表示５４は関連コンテンツ一覧表示２７に変化する。すなわち、期間４３を終了した後は、「ドラマ」の番組内容データから抽出された３つのキーワード「野球」、「ヤンキース」および「ヤンキースタジアム」のそれぞれに関連するサムネイル画像が表示される関連コンテンツ一覧画面表示４０〜４２が、５秒ごとに切り替え表示されるようになる。
【０１１８】
なお、ここでは、時間帯が変化するのに伴って特定されるキーワードも変更することとしたが、時間帯が変化してもその後所定の時間が経過するまで前の時間帯のキーワードを引き続き利用して関連コンテンツ一覧を表示するようにしたり、ユーザがキーワードの更新を指示できるような操作を設定しておいて、時間帯が変化しても、その操作が行われるまでは前の時間帯のキーワードを引き続き利用して関連コンテンツ一覧を表示するようにしてもよい。このようにした場合、図８では、関連コンテンツ一覧表示５４が表示されているときに期間４３が終了した場合でも、期間４３の終了後所定の時間、またはユーザがキーワードの更新指示をするまで、関連コンテンツ一覧表示５４が継続して表示される。
【０１１９】
ユーザは、関連コンテンツ一覧表示で表示されるサムネイル画像から選択した関連コンテンツを一時的に再生して確認したい場合もある。このような場合には、ユーザが所望の関連コンテンツを再生表示させた後、その関連コンテンツを選択したときの関連コンテンツ一覧表示に戻れるようにすると便利である。
【０１２０】
図９は、関連コンテンツを再生表示させた後、その関連コンテンツを選択した関連コンテンツ一覧表示に戻れるようにした本実施の形態１の再生装置における関連コンテンツ一覧表示を説明する図を示している。
【０１２１】
図９には、図３において、関連コンテンツ一覧表示２７からサムネイルを選択し、そのサムネイルに対応する選択コンテンツの再生画像３９が全画面に表示された状態を示している。
【０１２２】
選択コンテンツの再生画像３９が全画面に表示されている状態で、ユーザがユーザ入力部１１でホームキーを入力すると、ユーザ入力部１１から表示制御部１４へ関連コンテンツ一覧表示指示２８が通知され、画面２１には、選択コンテンツに関連するコンテンツ一覧表示６７が表示される。コンテンツ一覧表示６７には、選択コンテンツの再生画像３９で再生されているコンテンツから特定されたキーワードを用いて検索されたコンテンツのサムネイル画像が表示されるため、選択コンテンツを選択した関連コンテンツ一覧表示２７を表示させるために利用されたキーワードと異なり、関連コンテンツ一覧表示２７とは異なるコンテンツの一覧が表示されることになる。
【０１２３】
ここでは、リモコンの「戻る」キーなどに、一つ前の関連コンテンツ一覧表示に戻る設定を割当てておく。選択コンテンツの再生画像３９が全画面に表示されている状態で、ユーザが「戻る」キーを入力すると、ユーザ入力部１１から表示制御部１４へ関連コンテンツ選択取り消し指示６６が通知される。
【０１２４】
表示制御部１４は、関連コンテンツ選択取り消し指示６６の通知を受けると、再生部１２に、選択コンテンツの再生画像３９が全画面に表示される一つ前の画面、すなわち選択コンテンツを選択したときの画面表示をさせるように制御する。これにより、画面２１には、選択コンテンツに対応するサムネイル画像が表示されていたときの関連コンテンツ一覧表示２７が表示される。
【０１２５】
このように対応することにより、ユーザは、関連コンテンツ一覧表示２７に表示されたサムネイルに対応するコンテンツを一時的に再生しても、再度同じ関連コンテンツ一覧表示２７に戻り、他のコンテンツを選択できるようになる。
【０１２６】
また、図８で説明したのと同様に、選択コンテンツの再生画像３９が全画面に表示されている状態で、選択コンテンツに対応するサムネイル画像を選択したときの期間（例えば、図８の期間４３）が終了して、特定されるキーワードが異なる次の時間帯（例えば、図８の期間４４）に変化していた場合であっても、「戻る」キーを入力することにより、前の時間帯（期間４３）に表示されていた関連コンテンツ一覧表示２７に戻すことができる。
【０１２７】
なお、「戻る」キーが入力されて関連コンテンツ選択取り消し指示６６を通知するユーザ入力部１１が、本発明の選択取り消し指示部の一例にあたる。
【０１２８】
なお、上記した本実施の形態１では、いずれの時間帯に対しても複数のキーワードが特定されるものとして説明したが、特定されるキーワードが一つの時間帯や、特定されるキーワードが一つも無い時間帯があってもよい。
【０１２９】
特定されるキーワードが一つの時間帯の場合には、関連コンテンツの一覧表示の際に、キーワードの切り替えによる一定時間ごとの切り替え表示はされず、同じ一覧画面が継続して表示されることになる。特定されるキーワードが一つも無い時間帯の場合には、関連コンテンツの一覧表示の際に、例えば、検索用のキーワードが抽出できなかった旨を表示するとともに、各モードの最後のコンテンツのサムネイル画像を一覧表示する画面が継続して表示される。
【０１３０】
なお、複数のキーワードが特定される時間帯が、本発明の所定の一時間帯の一例にあたる。
【０１３１】
また、本実施の形態１では、複数のキーワードを番組内容データや字幕データから抽出して特定することとしたが、各番組や各時間帯に対応する複数のキーワードを予め設定しておき、そのキーワードをメタデータ２４とともにコンテンツ情報格納部１８などに格納しておいて、再生中のコンテンツに対応する予め設定されたキーワードをコンテンツ情報格納部１８から取り出すことにより、キーワードを特定するようにしてもよい。
【０１３２】
なお、この場合における、予め設定された各時間帯に対応する複数のキーワードを格納するコンテンツ情報格納部１８が、本発明の割当キーワード格納部の一例にあたる。
【０１３３】
また、本実施の形態１では、一つの入力メディア（モード）に対して一つのサムネイル画像を表示するものとして説明したが、一つのメディアから複数の関連するコンテンツが検出された場合には、それらのコンテンツごとに複数のサムネイル画像を表示させるようにしてもよい。例えば、図２において、記録されたビデオコンテンツの中に、キーワード「野球」で検索されるコンテンツが２つあった場合、ビデオモードのサムネイル画像をもう一つ追加して画面２１に表示する。
【０１３４】
一つのメディアから検出される複数の関連するコンテンツに対応するサムネイル画像を関連コンテンツ一覧表示に同時に表示させるようにすることにより、本発明は、ビデオ専用プレーヤのような入力メディアが一つしかないような再生装置にも適用できる。
【０１３５】
また、一つの入力メディアに対して一つのサムネイル画像を表示させるものとしておき、一つの入力メディアに対して検索用キーワードで検出されるコンテンツが複数あった場合には、そのキーワードに対応するサムネイル画像が表示されている期間内に、それらの複数のコンテンツに対応するサムネイル画像を切り替え表示するようにしてもよい。また、関連コンテンツ一覧表示において該当するキーワードに切り替えられて表示される毎に、一つの入力メディアに対して検出された複数のコンテンツに対応するサムネイル画像の一つを順に表示させていくようにしてもよい。
【０１３６】
また、本実施の形態１では、キーワード切替部１７におけるキーワードの切り替えを５秒ごとに行うこととして説明したが、キーワードの切り替えの間隔は、５秒より短くても、５秒より長くてもよい。切り替え間隔の時間は、関連コンテンツ一覧表示に表示させるサムネイル画像の数や、再生装置の処理能力などに応じて設定すればよい。また、キーワードの切り替え間隔は、一定の間隔で切り替えるのではなく、異なる所定の間隔で切り替えるようにしてもよい。例えば、特定された複数のキーワードに重み付けをし、優先度の高いキーワードに関連するコンテンツのサムネイル画像が一覧表示される時間を、優先度の低いキーワードに関連するコンテンツのサムネイル画像が一覧表示される時間よりも長くなるように、キーワードの切り替え間隔を設定する。
【０１３７】
なお、本発明のプログラムは、上述した再生方法の、前記再生中の一単位に対応する複数個のキーワードを特定する前記キーワード特定ステップ、前記特定された複数個のキーワードを一定時間または異なる時間間隔で切り替えて一つのキーワードを選ぶ前記キーワード切替ステップ、前記キーワード切替ステップで選ばれたそれぞれの前記キーワードに関連するそれぞれの映像または音楽のコンテンツのシンボルを切り替えながら一覧表示する前記一覧表示ステップの動作をコンピュータにより実行させるためのプログラムであって、コンピュータと協働して動作するプログラムである。
【０１３８】
また、本発明の記録媒体は、上述した再生方法の、前記再生中の一単位に対応する複数個のキーワードを特定する前記キーワード特定ステップ、前記特定された複数個のキーワードを一定時間または異なる時間間隔で切り替えて一つのキーワードを選ぶ前記キーワード切替ステップ、前記キーワード切替ステップで選ばれたそれぞれの前記キーワードに関連するそれぞれの映像または音楽のコンテンツのシンボルを切り替えながら一覧表示する前記一覧表示ステップの動作をコンピュータにより実行させるためのプログラムを記録した記録媒体であり、コンピュータにより読み取り可能かつ、読み取られた前記プログラムが前記コンピュータと協働して利用される記録媒体である。
【０１３９】
また、本発明の上記「前記制御ステップの動作」とは、前記制御ステップの全部または一部の動作を意味する。
【０１４０】
また、本発明のプログラムの一利用形態は、コンピュータにより読み取り可能な、ＲＯＭ等の記録媒体に記録され、コンピュータと協働して動作する態様であっても良い。
【０１４１】
また、本発明のプログラムの一利用形態は、インターネット等の伝送媒体、光・電波等の伝送媒体中を伝送し、コンピュータにより読みとられ、コンピュータと協働して動作する態様であっても良い。
【０１４２】
また、上述した本発明のコンピュータは、ＣＰＵ等の純然たるハードウェアに限らず、ファームウェアや、ＯＳ、更に周辺機器を含むものであっても良い。
【０１４３】
なお、以上説明した様に、本発明の構成は、ソフトウェア的に実現しても良いし、ハードウェア的に実現しても良い。
【産業上の利用可能性】
【０１４４】
本発明に係る再生装置および再生方法等は、再生中のコンテンツに関連したコンテンツであってユーザが要望するコンテンツを従来よりも見つけやすい効果を有し、複数のメディアの映像や音楽を再生できる再生装置および再生方法等として有用である。
【符号の説明】
【０１４５】
１０  再生装置
１１  ユーザ入力部
１２  再生部
１３  データ受信部
１４  表示制御部
１５  コンテンツ検索部
１６  キーワード特定部
１７  キーワード切替部
１８  コンテンツ情報格納部
１９  端末情報格納部
２０  ネットワーク
２１  画面
２２  スピーカ
２３  端末情報
２４  メタデータ
２５  サムネイル
２６  コンテンツ
２７  関連コンテンツ一覧表示
２８  関連コンテンツ一覧表示指示
２９  関連コンテンツ選択指示
３０  キーワード表示
３１  再生画像
３２〜３６  サムネイル画像
３７  最後のサムネイル画像
３８  関連コンテンツのサムネイル画像
３９  選択コンテンツの再生画像
４０〜４２  関連コンテンツ一覧画面表示
４３〜４８  期間
４９  関連コンテンツ一覧表示
５０〜５２  関連コンテンツ一覧画面表示
５３  関連コンテンツ一覧表示
５４  関連コンテンツ一覧表示
５５〜５７  字幕
５８〜６０  期間
６１〜６５  関連コンテンツ一覧画面表示
６６  関連コンテンツ選択取り消し指示
６７  選択コンテンツに関連するコンテンツ一覧表示
【手続補正２】
【補正対象書類名】特許請求の範囲
【補正対象項目名】全文
【補正方法】変更
【補正の内容】
【特許請求の範囲】
【請求項１】
映像または音を再生する再生部と、
再生中の前記映像または音の一単位に関連する映像または音のコンテンツのシンボルの一覧表示指示をする一覧表示指示部と、
前記コンテンツのシンボルとそのコンテンツに付されたキーワードとで構成されたコンテンツ関係情報が格納されたコンテンツ関係情報格納部と、
前記再生中の一単位に対応する複数個のキーワードを特定するキーワード特定部と、
前記キーワード特定部で特定された複数のキーワードを一定時間または異なる時間間隔で切り替えて一つのキーワードを選ぶキーワード切替部と、
前記キーワード切替部によって選ばれたキーワードで、前記コンテンツ関係情報格納部の前記コンテンツ関係情報の前記キーワードを検索して関連するコンテンツを検出し、その関連するコンテンツのシンボルを特定し、前記キーワード切替部によってキーワードが切り替えられる毎に、前記特定したシンボルを入れ替えていくシンボル入替部と、
前記シンボル入替部によって特定されたシンボルを、前記再生部によって切り替えながら画面に一覧表示させる一覧表示制御部とを備え、
前記一覧表示制御部は、少なくとも前記一覧表示指示があった後に動作する、再生装置。
【請求項２】
前記キーワード特定部は、前記一覧表示指示があった後に動作する、請求項１に記載の再生装置。
【請求項３】
前記再生中の一単位は、前記一覧表示の際には、前記シンボルと並んで表示される、請求項１または２に記載の再生装置。
【請求項４】
前記一単位は、前記映像または音の、一番組または一曲である、請求項１〜３のいずれかに記載の再生装置。
【請求項５】
前記一番組または一曲に予めキーワードが用意されており、
前記キーワード特定部は、前記予め用意されているキーワードを利用して前記複数個のキーワードを特定する、請求項４に記載の再生装置。
【請求項６】
前記映像または音の一番組または一曲が複数の時間帯に区切られており、前記一単位は、前記複数の時間帯のうちの所定の一時間帯である、請求項１〜３のいずれかに記載の再生装置。
【請求項７】
前記映像に対応する字幕データを格納する番組付属情報格納部を備え、
前記キーワード特定部は、前記一覧表示指示があったときに、そのタイミングに対応する前記所定の一時間帯に対応する前記字幕データから前記複数個のキーワードを抽出することにより、前記複数個のキーワードを特定する、請求項６に記載の再生装置。
【請求項８】
前記各時間帯に予め割り当てられている一または複数のキーワードを格納している割当キーワード格納部を備え、
前記キーワード特定部は、前記一覧表示指示があったときに、そのタイミングに対応する前記所定の一時間帯に予め割り当てられている前記複数個のキーワードを前記割当キーワード格納部から取り出すことにより、前記複数個のキーワードを特定する、請求項６に記載の再生装置。
【請求項９】
前記一覧表示しているときに前記所定の一時間帯が終了した場合、
前記キーワード特定部は、次の一時間帯に対応する複数個のキーワードを新たに特定し、
前記キーワード切替部は、前記キーワード特定部で新たに特定された複数のキーワードを一定時間または異なる時間間隔で切り替えて一つのキーワードを選び、
前記シンボル入替部は、前記新たに特定された複数のキーワードの中から前記キーワード切替部によって選ばれたキーワードで、関連するコンテンツを検出し、その関連するコンテンツのシンボルを特定し、前記キーワード切替部によってキーワードが切り替えられる毎に、その特定したシンボルを入れ替えていき、
前記一覧表示制御部は、前記シンボル入替部によって特定されたシンボルを、前記再生部によって前記画面に切り替えながら一覧表示させる、請求項６に記載の再生装置。
【請求項１０】
前記一覧表示されているシンボルの中から、いずれかのシンボルを選択して指示するシンボル選択指示部と、
前記シンボル選択指示部によって選択指示された動作を取り消す選択取り消し指示を出す選択取り消し指示部とを備え、
前記再生部は、前記シンボル選択指示部によってシンボルが選択されたときには、その選択されたシンボルに対応するコンテンツの表示サイズを拡張して前記画面に再生表示させ、前記選択されたシンボルに対応するコンテンツを再生表示させているときに前記選択取り消し指示部によって前記選択取り消し指示がされた場合には、前記画面に前記シンボルが選択されたときの一覧表示に戻し表示させる、請求項６に記載の再生装置。
【請求項１１】
前記表示制御部は、前記キーワードに関連しないコンテンツであり、かつ、前記キーワードに関連して対応する前記シンボルが表示されているコンテンツを有するメディア以外の他のメディアが有するコンテンツに対応するシンボルも、前記一覧表示に表示させ、前記他のメディアが有するコンテンツに対応するシンボルを、前記キーワードに関連するコンテンツのシンボルよりも小さいサイズで表示させる、請求項１〜３のいずれかに記載の再生装置。
【請求項１２】
映像または音の一単位を再生する再生ステップと、
再生中の前記一単位に関連する映像または音のコンテンツのシンボルの一覧表示指示をする一覧表示指示ステップと、
キーワード特定部によって、前記再生中の一単位に対応する複数個のキーワードを特定するキーワード特定ステップと、
前記特定された複数個のキーワードを、キーワード切替部によって一定時間または異なる時間間隔で切り替えて一つのキーワードを選ぶキーワード切替ステップと、
前記キーワード切替ステップで選ばれたそれぞれの前記キーワードに関連するそれぞれの映像または音楽のコンテンツのシンボルを切り替えながら一覧表示する一覧表示ステップとを備えた再生方法であって、
前記一覧表示ステップは、少なくとも前記一覧表示指示がされた後に行われる再生方法。
【請求項１３】
前記キーワード特定ステップは、前記一覧表示指示がされた後に行われる、請求項１２に記載の再生方法。
【請求項１４】
前記一単位は、前記映像または音の、一番組または一曲であり、
前記一番組または一曲に予めキーワードが用意されており、
前記キーワード特定ステップでは、前記予め用意されているキーワードを利用して前記複数個のキーワードを特定する、請求項１２または１３に記載の再生方法。
【請求項１５】
前記映像または音の一番組または一曲が複数の時間帯に区切られており、前記一単位は、前記複数の時間帯のうちの所定の一時間帯であり、
前記映像に対応する字幕データがあり、
前記キーワード特定ステップでは、前記一覧表示指示がされたときに、そのタイミングに対応する前記所定の一時間帯に対応する前記字幕データから前記複数個のキーワードを抽出することにより、前記複数個のキーワードを特定する、請求項１２または１３に記載の再生方法。
【請求項１６】
前記映像または音の一番組または一曲が複数の時間帯に区切られており、前記一単位は、前記複数の時間帯のうちの所定の一時間帯であり、
前記各時間帯には、一または複数のキーワードが予め割り当てられており、
前記キーワード特定ステップでは、前記一覧表示指示がされたときに、そのタイミングに対応する前記所定の一時間帯に予め割り当てられている前記複数個のキーワードを取り出すことにより、前記複数個のキーワードを特定する、請求項１２または１３に記載の再生方法。
【請求項１７】
請求項１２に記載の再生方法の、前記再生中の一単位に対応する複数個のキーワードを特定する前記キーワード特定ステップ、前記特定された複数個のキーワードを一定時間または異なる時間間隔で切り替えて一つのキーワードを選ぶ前記キーワード切替ステップ、前記キーワード切替ステップで選ばれたそれぞれの前記キーワードに関連するそれぞれの映像または音楽のコンテンツのシンボルを切り替えながら一覧表示する前記一覧表示ステップをコンピュータに実行させるプログラム。
【請求項１８】
請求項１７に記載のプログラムを記録した記録媒体であって、コンピュータにより処理可能な記録媒体。
【手続補正３】
【補正対象書類名】図面
【補正対象項目名】全図
【補正方法】変更
【補正の内容】
【図１】
2011048720.tif 000014
【図２】
2011048720.tif 000015
【図３】
2011048720.tif 000016
【図４】
2011048720.tif 000017
【図５】
2011048720.tif 000018
【図６】
2011048720.tif 000019
【図７】
2011048720.tif 000020
【図８】
2011048720.tif 000021
【図９】
2011048720.tif 000022
【図１０】
2011048720.tif 000023
【図１１】
2011048720.tif 000024
【手続補正書】
【提出日】平成24年3月5日(2012.3.5)
【手続補正１】
【補正対象書類名】明細書
【補正対象項目名】００３１
【補正方法】変更
【補正の内容】
【００３１】
また、第１１の本発明は、
前記一覧表示制御部は、前記キーワードに関連しないコンテンツであり、かつ、前記キーワードに関連して対応する前記シンボルが表示されているコンテンツを有するメディア以外の他のメディアが有するコンテンツに対応するシンボルも、前記一覧表示に表示させ、前記他のメディアが有するコンテンツに対応するシンボルを、前記キーワードに関連するコンテンツのシンボルよりも小さいサイズで表示させる、第１〜第３のいずれかの本発明の再生装置である。
【手続補正２】
【補正対象書類名】明細書
【補正対象項目名】００３２
【補正方法】変更
【補正の内容】
【００３２】
また、第１２の本発明は、
映像または音の一単位を再生する再生ステップと、
再生中の前記一単位に関連する映像または音のコンテンツのシンボルの一覧表示指示をする一覧表示指示ステップと、
キーワード特定部によって、前記再生中の一単位に対応する複数個のキーワードを特定するキーワード特定ステップと、
前記特定された複数個のキーワードを、キーワード切替部によって一定時間または異なる時間間隔で切り替えて一つのキーワードを選ぶキーワード切替ステップと、
前記キーワード切替ステップで選ばれたそれぞれの前記キーワードに関連するそれぞれの映像または音のコンテンツのシンボルを切り替えながら一覧表示する一覧表示ステップとを備えた再生方法であって、
前記一覧表示ステップは、少なくとも前記一覧表示指示がされた後に行われる再生方法である。
【手続補正３】
【補正対象書類名】明細書
【補正対象項目名】００３７
【補正方法】変更
【補正の内容】
【００３７】
また、第１７の本発明は、
第１２の本発明の再生方法の、前記再生中の一単位に対応する複数個のキーワードを特定する前記キーワード特定ステップ、前記特定された複数個のキーワードを一定時間または異なる時間間隔で切り替えて一つのキーワードを選ぶ前記キーワード切替ステップ、前記キーワード切替ステップで選ばれたそれぞれの前記キーワードに関連するそれぞれの映像または音のコンテンツのシンボルを切り替えながら一覧表示する前記一覧表示ステップをコンピュータに実行させるプログラムである。
【手続補正４】
【補正対象書類名】明細書
【補正対象項目名】００９１
【補正方法】変更
【補正の内容】
【００９１】
キーワード特定部１６、キーワード切替部１７およびコンテンツ検索部１５における処理を、表示制御部１４に関連コンテンツ一覧表示指示２８が通知される前から実行させておくかどうかは、その再生装置１０の処理能力を考慮して決定すればよい。例えば、処理負荷の小さいキーワード特定部１６における処理については関連コンテンツ一覧表示指示２８が通知される前から行わせておき、キーワード切替部１７およびコンテンツ検索部１５における処理については、関連コンテンツ一覧表示指示２８が通知された後に行わせるようにしてもよい。
【手続補正５】
【補正対象書類名】明細書
【補正対象項目名】０１１７
【補正方法】変更
【補正の内容】
【０１１７】
そして、関連コンテンツ一覧表示５４が表示されている間に、「ドラマ」を放送している期間４３が終了して次の期間４４となったとき、番組内容データが「野球中継」のものに変わるため、キーワード特定部１６で特定される複数のキーワードも変わる。関連コンテンツ一覧表示で切り替え表示するために利用するキーワード群が変化するため、期間４３から期間４４の時間帯に変わったときに、関連コンテンツ一覧表示５４は関連コンテンツ一覧表示２７に変化する。すなわち、期間４３を終了した後は、「野球中継」の番組内容データから抽出された３つのキーワード「野球」、「ヤンキース」および「ヤンキースタジアム」のそれぞれに関連するサムネイル画像が表示される関連コンテンツ一覧画面表示４０〜４２が、５秒ごとに切り替え表示されるようになる。
【手続補正６】
【補正対象書類名】明細書
【補正対象項目名】０１３７
【補正方法】変更
【補正の内容】
【０１３７】
なお、本発明のプログラムは、上述した再生方法の、前記再生中の一単位に対応する複数個のキーワードを特定する前記キーワード特定ステップ、前記特定された複数個のキーワードを一定時間または異なる時間間隔で切り替えて一つのキーワードを選ぶ前記キーワード切替ステップ、前記キーワード切替ステップで選ばれたそれぞれの前記キーワードに関連するそれぞれの映像または音のコンテンツのシンボルを切り替えながら一覧表示する前記一覧表示ステップの動作をコンピュータにより実行させるためのプログラムであって、コンピュータと協働して動作するプログラムである。
【手続補正７】
【補正対象書類名】明細書
【補正対象項目名】０１３８
【補正方法】変更
【補正の内容】
【０１３８】
また、本発明の記録媒体は、上述した再生方法の、前記再生中の一単位に対応する複数個のキーワードを特定する前記キーワード特定ステップ、前記特定された複数個のキーワードを一定時間または異なる時間間隔で切り替えて一つのキーワードを選ぶ前記キーワード切替ステップ、前記キーワード切替ステップで選ばれたそれぞれの前記キーワードに関連するそれぞれの映像または音のコンテンツのシンボルを切り替えながら一覧表示する前記一覧表示ステップの動作をコンピュータにより実行させるためのプログラムを記録した記録媒体であり、コンピュータにより読み取り可能かつ、読み取られた前記プログラムが前記コンピュータと協働して利用される記録媒体である。
【手続補正８】
【補正対象書類名】明細書
【補正対象項目名】０１３９
【補正方法】変更
【補正の内容】
【０１３９】
また、本発明の上記「前記ステップの動作」とは、前記ステップの全部または一部の動作を意味する。
【手続補正９】
【補正対象書類名】特許請求の範囲
【補正対象項目名】全文
【補正方法】変更
【補正の内容】
【特許請求の範囲】
【請求項１】
映像または音を再生する再生部と、
再生中の前記映像または音の一単位に関連する映像または音のコンテンツのシンボルの一覧表示指示をする一覧表示指示部と、
前記コンテンツのシンボルとそのコンテンツに付されたキーワードとで構成されたコンテンツ関係情報が格納されたコンテンツ関係情報格納部と、
前記再生中の一単位に対応する複数個のキーワードを特定するキーワード特定部と、
前記キーワード特定部で特定された複数のキーワードを一定時間または異なる時間間隔で切り替えて一つのキーワードを選ぶキーワード切替部と、
前記キーワード切替部によって選ばれたキーワードで、前記コンテンツ関係情報格納部の前記コンテンツ関係情報の前記キーワードを検索して関連するコンテンツを検出し、その関連するコンテンツのシンボルを特定し、前記キーワード切替部によってキーワードが切り替えられる毎に、前記特定したシンボルを入れ替えていくシンボル入替部と、
前記シンボル入替部によって特定されたシンボルを、前記再生部によって切り替えながら画面に一覧表示させる一覧表示制御部とを備え、
前記一覧表示制御部は、少なくとも前記一覧表示指示があった後に動作する、再生装置。
【請求項２】
前記キーワード特定部は、前記一覧表示指示があった後に動作する、請求項１に記載の再生装置。
【請求項３】
前記再生中の一単位は、前記一覧表示の際には、前記シンボルと並んで表示される、請求項１または２に記載の再生装置。
【請求項４】
前記一単位は、前記映像または音の、一番組または一曲である、請求項１〜３のいずれかに記載の再生装置。
【請求項５】
前記一番組または一曲に予めキーワードが用意されており、
前記キーワード特定部は、前記予め用意されているキーワードを利用して前記複数個のキーワードを特定する、請求項４に記載の再生装置。
【請求項６】
前記映像または音の一番組または一曲が複数の時間帯に区切られており、前記一単位は、前記複数の時間帯のうちの所定の一時間帯である、請求項１〜３のいずれかに記載の再生装置。
【請求項７】
前記映像に対応する字幕データを格納する番組付属情報格納部を備え、
前記キーワード特定部は、前記一覧表示指示があったときに、そのタイミングに対応する前記所定の一時間帯に対応する前記字幕データから前記複数個のキーワードを抽出することにより、前記複数個のキーワードを特定する、請求項６に記載の再生装置。
【請求項８】
前記各時間帯に予め割り当てられている一または複数のキーワードを格納している割当キーワード格納部を備え、
前記キーワード特定部は、前記一覧表示指示があったときに、そのタイミングに対応する前記所定の一時間帯に予め割り当てられている前記複数個のキーワードを前記割当キーワード格納部から取り出すことにより、前記複数個のキーワードを特定する、請求項６に記載の再生装置。
【請求項９】
前記一覧表示しているときに前記所定の一時間帯が終了した場合、
前記キーワード特定部は、次の一時間帯に対応する複数個のキーワードを新たに特定し、
前記キーワード切替部は、前記キーワード特定部で新たに特定された複数のキーワードを一定時間または異なる時間間隔で切り替えて一つのキーワードを選び、
前記シンボル入替部は、前記新たに特定された複数のキーワードの中から前記キーワード切替部によって選ばれたキーワードで、関連するコンテンツを検出し、その関連するコンテンツのシンボルを特定し、前記キーワード切替部によってキーワードが切り替えられる毎に、その特定したシンボルを入れ替えていき、
前記一覧表示制御部は、前記シンボル入替部によって特定されたシンボルを、前記再生部によって前記画面に切り替えながら一覧表示させる、請求項６に記載の再生装置。
【請求項１０】
前記一覧表示されているシンボルの中から、いずれかのシンボルを選択して指示するシンボル選択指示部と、
前記シンボル選択指示部によって選択指示された動作を取り消す選択取り消し指示を出す選択取り消し指示部とを備え、
前記再生部は、前記シンボル選択指示部によってシンボルが選択されたときには、その選択されたシンボルに対応するコンテンツの表示サイズを拡張して前記画面に再生表示させ、前記選択されたシンボルに対応するコンテンツを再生表示させているときに前記選択取り消し指示部によって前記選択取り消し指示がされた場合には、前記画面に前記シンボルが選択されたときの一覧表示に戻し表示させる、請求項６に記載の再生装置。
【請求項１１】
前記一覧表示制御部は、前記キーワードに関連しないコンテンツであり、かつ、前記キーワードに関連して対応する前記シンボルが表示されているコンテンツを有するメディア以外の他のメディアが有するコンテンツに対応するシンボルも、前記一覧表示に表示させ、前記他のメディアが有するコンテンツに対応するシンボルを、前記キーワードに関連するコンテンツのシンボルよりも小さいサイズで表示させる、請求項１〜３のいずれかに記載の再生装置。
【請求項１２】
映像または音の一単位を再生する再生ステップと、
再生中の前記一単位に関連する映像または音のコンテンツのシンボルの一覧表示指示をする一覧表示指示ステップと、
キーワード特定部によって、前記再生中の一単位に対応する複数個のキーワードを特定するキーワード特定ステップと、
前記特定された複数個のキーワードを、キーワード切替部によって一定時間または異なる時間間隔で切り替えて一つのキーワードを選ぶキーワード切替ステップと、
前記キーワード切替ステップで選ばれたそれぞれの前記キーワードに関連するそれぞれの映像または音のコンテンツのシンボルを切り替えながら一覧表示する一覧表示ステップとを備えた再生方法であって、
前記一覧表示ステップは、少なくとも前記一覧表示指示がされた後に行われる再生方法。
【請求項１３】
前記キーワード特定ステップは、前記一覧表示指示がされた後に行われる、請求項１２に記載の再生方法。
【請求項１４】
前記一単位は、前記映像または音の、一番組または一曲であり、
前記一番組または一曲に予めキーワードが用意されており、
前記キーワード特定ステップでは、前記予め用意されているキーワードを利用して前記複数個のキーワードを特定する、請求項１２または１３に記載の再生方法。
【請求項１５】
前記映像または音の一番組または一曲が複数の時間帯に区切られており、前記一単位は、前記複数の時間帯のうちの所定の一時間帯であり、
前記映像に対応する字幕データがあり、
前記キーワード特定ステップでは、前記一覧表示指示がされたときに、そのタイミングに対応する前記所定の一時間帯に対応する前記字幕データから前記複数個のキーワードを抽出することにより、前記複数個のキーワードを特定する、請求項１２または１３に記載の再生方法。
【請求項１６】
前記映像または音の一番組または一曲が複数の時間帯に区切られており、前記一単位は、前記複数の時間帯のうちの所定の一時間帯であり、
前記各時間帯には、一または複数のキーワードが予め割り当てられており、
前記キーワード特定ステップでは、前記一覧表示指示がされたときに、そのタイミングに対応する前記所定の一時間帯に予め割り当てられている前記複数個のキーワードを取り出すことにより、前記複数個のキーワードを特定する、請求項１２または１３に記載の再生方法。
【請求項１７】
請求項１２に記載の再生方法の、前記再生中の一単位に対応する複数個のキーワードを特定する前記キーワード特定ステップ、前記特定された複数個のキーワードを一定時間または異なる時間間隔で切り替えて一つのキーワードを選ぶ前記キーワード切替ステップ、前記キーワード切替ステップで選ばれたそれぞれの前記キーワードに関連するそれぞれの映像または音のコンテンツのシンボルを切り替えながら一覧表示する前記一覧表示ステップをコンピュータに実行させるプログラム。
【請求項１８】
請求項１７に記載のプログラムを記録した記録媒体であって、コンピュータにより処理可能な記録媒体。
【手続補正１０】
【補正対象書類名】図面
【補正対象項目名】図５
【補正方法】変更
【補正の内容】
【図５】
2011048720.tif 000025
【国際調査報告】
2011048720.tif 000026
2011048720.tif 000027
2011048720.tif 000028
2011048720.tif 000029